(57)【要約】  本発明は、５ＧネットワークにおいてＵＥとコアネットワークとの間のダイレクトパケット交換を実施するためのパケット交換方法及び関連装置を開示する。この方法は、第１の装置によって、第１の装置のネットワークコンバージェンスプロトコル（ＮＣＰ）レイヤを使用することによって、パケットを取得するステップと；第１の装置によって、第１の装置のＮＣＰレイヤを使用することによって、第２の装置のＮＣＰレイヤにパケットを送信するステップと；を含み、ＮＣＰレイヤはユーザプレーンのデータリンクレイヤに位置しており、第１の装置のＮＣＰレイヤ及び第２の装置のＮＣＰレイヤは、第１の装置と第２の装置との間にダイレクトデータ交換チャネルを形成し、第１の装置は端末であり、第２の装置はコアネットワーク装置であるか、又は第１の装置はコアネットワーク装置であり、第２の装置は端末である。
2019535218.tif 000002
【特許請求の範囲】
【請求項１】
パケット交換方法であって、
第１の装置によって、該第１の装置のネットワークコンバージェンスプロトコル（ＮＣＰ）レイヤを使用することによって、パケットを取得するステップと、
前記第１の装置によって、該第１の装置の前記ＮＣＰレイヤを使用することによって、第２の装置のＮＣＰレイヤに前記パケットを送信するステップと、を含み、
前記ＮＣＰレイヤはユーザプレーンのデータリンクレイヤに位置しており、前記第１の装置の前記ＮＣＰレイヤ及び前記第２の装置の前記ＮＣＰレイヤは、前記第１の装置と前記第２の装置との間にダイレクトデータ交換チャネルを形成し、
前記第１の装置は端末であり、前記第２の装置はコアネットワーク装置であるか、又は前記第１の装置はコアネットワーク装置であり、前記第２の装置は端末である、
方法。
【請求項２】
前記パケットは、フィックスドモバイルコンバージェンス（ＦＭＣ）シナリオにおけるパケットである、請求項１に記載の方法。
【請求項３】
前記パケットは、ＦＭＣマルチ接続アグリゲーションに使用されるパケット、ＦＭＣマルチ接続管理に使用されるパケット、プライベートネットワーク認識に使用されるパケット、又はプライベートネットワーク制御に使用されるパケットである、請求項１に記載の方法。
【請求項４】
前記ＮＣＰレイヤは、前記データリンクレイヤの最上位に位置しており、且つインターネットプロトコル（ＩＰ）レイヤより下に位置する、請求項１に記載の方法。
【請求項５】
ロングタームエボリューション（ＬＴＥ）プロトコルが前記第１の装置と前記第２の装置との間のアクセスネットワーク（ＡＮ）に使用される場合に、前記ＮＣＰレイヤはパケットデータコンバージェンスプロトコル（ＰＤＣＰ）レイヤより上に位置しており、
デジタル加入者線（ＤＳＬ）プロトコルが前記第１の装置と前記第２の装置との間のアクセスネットワーク（ＡＮ）に使用される場合に、前記ＮＣＰレイヤはポイントツーポイントプロトコル（ＰＰＰ）レイヤより上に位置しており、
信頼性のあるワイファイ（Ｗｉ−Ｆｉ）プロトコルが前記第１の装置と前記第２の装置との間のアクセスネットワークに使用される場合に、前記ＮＣＰレイヤは媒体アクセス制御（ＭＡＣ）レイヤより上に位置しており、又は
信頼性のないワイファイ（Ｗｉ−Ｆｉ）プロトコルが前記第１の装置と前記第２の装置との間のアクセスネットワークに使用される場合に、前記ＮＣＰレイヤはインターネットプロトコルセキュリティ（ＩＰＳｅｃ）レイヤより上に位置する、請求項４に記載の方法。
【請求項６】
前記ＮＣＰレイヤのプロトコルヘッダが、指定されたオプションタイプのインターネットプロトコル（ＩＰ）オプションを使用することによって搬送される、又は
前記ＮＣＰレイヤのプロトコルヘッダが、ＮＣＰタイプとＮＣＰデータとを含む、
請求項１乃至５のいずれか一項に記載の方法。
【請求項７】
パケット交換方法であって、
第１の装置によって、該第１の装置のネットワークコンバージェンスプロトコル（ＮＣＰ）レイヤを使用することによって、第２の装置のＮＣＰレイヤによって送信されたパケットを受信するステップと、
前記第１の装置によって、前記パケットを処理するステップと、を含み、
前記ＮＣＰレイヤはユーザプレーンのデータリンクレイヤに位置しており、前記第１の装置の前記ＮＣＰレイヤ及び前記第２の装置の前記ＮＣＰレイヤは、前記第１の装置と前記第２の装置との間にダイレクトデータ交換チャネルを形成し、
前記第１の装置は端末であり、前記第２の装置はコアネットワーク装置であるか、又は前記第１の装置はコアネットワーク装置であり、前記第２の装置は端末である、
方法。
【請求項８】
前記パケットは、フィックスドモバイルコンバージェンス（ＦＭＣ）シナリオにおけるパケットである、請求項７に記載の方法。
【請求項９】
前記パケットは、ＦＭＣマルチ接続アグリゲーションに使用されるパケット、ＦＭＣマルチ接続管理に使用されるパケット、プライベートネットワーク認識に使用されるパケット、又はプライベートネットワーク制御に使用されるパケットである、請求項７に記載の方法。
【請求項１０】
前記ＮＣＰレイヤは、前記データリンクレイヤの最上位に位置しており、且つインターネットプロトコル（ＩＰ）レイヤより下に位置する、請求項７に記載の方法。
【請求項１１】
ロングタームエボリューション（ＬＴＥ）プロトコルが前記第１の装置と前記第２の装置との間のアクセスネットワーク（ＡＮ）に使用される場合に、前記ＮＣＰレイヤはパケットデータコンバージェンスプロトコル（ＰＤＣＰ）レイヤより上に位置しており、
デジタル加入者線（ＤＳＬ）プロトコルが前記第１の装置と前記第２の装置との間のアクセスネットワーク（ＡＮ）に使用される場合に、前記ＮＣＰレイヤはポイントツーポイントプロトコル（ＰＰＰ）レイヤより上に位置しており、
信頼性のあるワイファイ（Ｗｉ−Ｆｉ）プロトコルが前記第１の装置と前記第２の装置との間のアクセスネットワーク（ＡＮ）に使用される場合に、前記ＮＣＰレイヤは媒体アクセス制御（ＭＡＣ）レイヤより上に位置しており、又は
信頼性のないワイファイ（Ｗｉ−Ｆｉ）プロトコルが前記第１の装置と前記第２の装置との間のアクセスネットワーク（ＡＮ）に使用される場合に、前記ＮＣＰレイヤはインターネットプロトコルセキュリティ（ＩＰＳｅｃ）レイヤより上に位置する、請求項１０に記載の方法。
【請求項１２】
前記ＮＣＰレイヤのプロトコルヘッダが、指定されたオプションタイプのインターネットプロトコル（ＩＰ）オプションを使用することによって搬送される、又は
前記ＮＣＰレイヤのプロトコルヘッダが、ＮＣＰタイプとＮＣＰデータとを含む、
請求項７乃至１１のいずれか一項に記載の方法。
【請求項１３】
装置であって、
該装置のネットワークコンバージェンスプロトコル（ＮＣＰ）レイヤを使用することによって、パケットを取得するように設定される処理モジュールと、
前記装置の前記ＮＣＰレイヤを使用することによって、前記パケットを第２の装置のＮＣＰレイヤに送信するように設定される通信モジュールと、を有しており、
前記ＮＣＰレイヤはユーザプレーンのデータリンクレイヤに位置しており、前記装置の前記ＮＣＰレイヤ及び前記第２の装置の前記ＮＣＰレイヤは、前記装置と前記第２の装置との間にダイレクトデータ交換チャネルを形成し、
前記装置は端末であり、前記第２の装置はコアネットワーク装置であるか、又は前記装置はコアネットワーク装置であり、前記第２の装置は端末である、
装置。
【請求項１４】
前記パケットは、フィックスドモバイルコンバージェンス（ＦＭＣ）シナリオにおけるパケットである、請求項１３に記載の装置。
【請求項１５】
前記パケットは、ＦＭＣマルチ接続アグリゲーションに使用されるパケット、ＦＭＣマルチ接続管理に使用されるパケット、プライベートネットワーク認識に使用されるパケット、又はプライベートネットワーク制御に使用されるパケットである、請求項１３に記載の装置。
【請求項１６】
前記ＮＣＰレイヤは、前記データリンクレイヤの最上位に位置しており、且つインターネットプロトコル（ＩＰ）レイヤより下に位置する、請求項１３に記載の装置。
【請求項１７】
ロングタームエボリューション（ＬＴＥ）プロトコルが前記装置と前記第２の装置との間のアクセスネットワーク（ＡＮ）に使用される場合に、前記ＮＣＰレイヤはパケットデータコンバージェンスプロトコル（ＰＤＣＰ）レイヤより上に位置しており、
デジタル加入者線（ＤＳＬ）プロトコルが前記装置と前記第２の装置との間のアクセスネットワーク（ＡＮ）に使用される場合に、前記ＮＣＰレイヤはポイントツーポイントプロトコル（ＰＰＰ）レイヤより上に位置しており、
信頼性のあるワイファイ（Ｗｉ−Ｆｉ）プロトコルが前記装置と前記第２の装置との間のアクセスネットワークに使用される場合に、前記ＮＣＰレイヤは媒体アクセス制御（ＭＡＣ）レイヤより上に位置しており、又は
信頼性のないワイファイ（Ｗｉ−Ｆｉ）プロトコルが前記装置と前記第２の装置との間のアクセスネットワークに使用される場合に、前記ＮＣＰレイヤはインターネットプロトコルセキュリティ（ＩＰＳｅｃ）レイヤより上に位置する、請求項１６に記載の装置。
【請求項１８】
前記ＮＣＰレイヤのプロトコルヘッダが、指定されたオプションタイプのインターネットプロトコル（ＩＰ）オプションを使用することによって搬送される、又は
前記ＮＣＰレイヤのプロトコルヘッダが、ＮＣＰタイプとＮＣＰデータとを含む、
請求項１３乃至１７のいずれか一項に記載の装置。
【請求項１９】
装置であって、
該装置のネットワークコンバージェンスプロトコル（ＮＣＰ）レイヤを使用することによって、第２の装置のＮＣＰレイヤによって送信されたパケットを受信するように設定される通信モジュールと、
前記パケットを処理するように設定される処理モジュールと、を有しており、
前記ＮＣＰレイヤはユーザプレーンのデータリンクレイヤに位置しており、前記装置のＮＣＰレイヤ及び前記第２の装置の前記ＮＣＰレイヤは前記装置と前記第２の装置との間にダイレクトデータ交換チャネルを形成し、
前記装置は端末であり、前記第２の装置はコアネットワーク装置であるか、又は前記装置はコアネットワーク装置であり、前記第２の装置は端末である、
装置。
【請求項２０】
前記パケットは、フィックスドモバイルコンバージェンス（ＦＭＣ）シナリオにおけるパケットである、請求項１９に記載の装置。
【請求項２１】
前記パケットは、ＦＭＣマルチ接続アグリゲーションに使用されるパケット、ＦＭＣマルチ接続管理に使用されるパケット、プライベートネットワーク認識に使用されるパケット、又はプライベートネットワーク制御に使用されるパケットである、請求項１９に記載の装置。
【請求項２２】
前記ＮＣＰレイヤは、前記データリンクレイヤの最上位に位置しており、且つインターネットプロトコル（ＩＰ）レイヤより下に位置する、請求項１９に記載の装置。
【請求項２３】
ロングタームエボリューション（ＬＴＥ）プロトコルが前記装置と前記第２の装置との間のアクセスネットワーク（ＡＮ）に使用される場合に、前記ＮＣＰレイヤはパケットデータコンバージェンスプロトコル（ＰＤＣＰ）レイヤより上に位置しており、
デジタル加入者線（ＤＳＬ）プロトコルが前記装置と前記第２の装置との間のアクセスネットワーク（ＡＮ）に使用される場合に、前記ＮＣＰレイヤはポイントツーポイントプロトコル（ＰＰＰ）レイヤより上に位置しており、
信頼性のあるワイファイ（Ｗｉ−Ｆｉ）プロトコルが前記装置と前記第２の装置との間のアクセスネットワーク（ＡＮ）に使用される場合に、前記ＮＣＰレイヤは媒体アクセス制御（ＭＡＣ）レイヤより上に位置しており、又は
信頼性のないワイファイ（Ｗｉ−Ｆｉ）プロトコルが前記装置と前記第２の装置との間のアクセスネットワーク（ＡＮ）に使用される場合に、前記ＮＣＰレイヤはインターネットプロトコルセキュリティ（ＩＰＳｅｃ）レイヤより上に位置する、請求項１９に記載の装置。
【請求項２４】
前記ＮＣＰレイヤのプロトコルヘッダが、指定されたオプションタイプのインターネットプロトコル（ＩＰ）オプションを使用することによって搬送される、又は
前記ＮＣＰレイヤのプロトコルヘッダが、ＮＣＰタイプとＮＣＰデータとを含む、
請求項１９乃至２３のいずれか一項に記載の装置。
【発明の詳細な説明】
【技術分野】
【０００１】
本願は、２０１６年９月２８日に中国特許庁に出願された、“PACKET EXCAHNGE METHOD AND RELATED DEVICE”という表題の中国特許出願第２０１６１０８６４８１３．４号について優先権を主張するものであり、この文献は、その全体が参照により本明細書に組み込まれる。
【０００２】
本発明は、通信技術の分野に関し、特にパケット交換方法及び関連装置に関する。
【背景技術】
【０００３】
第５世代移動通信ネットワーク（略して５Ｇネットワーク）では、フィックスドモバイルコンバージェンス（ＦＭＣ（Fixed Mobile Convergence））マルチ接続、プライベートネットワーク（Private Network）認識、及びプライベートネットワーク制御等のシナリオは、端末（ＵＥ（User Equipment））とコアネットワーク（ＣＮ（Core Network））との間のダイレクト（direct）パケット交換を必要とする。ＦＭＣは、固定アクセスネットワークと移動アクセスネットワークとの両方を使用することによって、ＵＥとコアネットワークとの間に複数の接続が確立され、複数の接続の動作モードが、ステアリング（steering）モード、分割（Splitting）モード、アクティブ／スタンバイモード等であり得ることを意味する。プライベートネットワークは、ダイレクト装置（direct device）がＷｉ−Ｆｉ又はブルートゥース（Bluetooth）を使用することによって異なる装置に接続された後に形成されるネットワークである。ダイレクト装置は、固定アクセスネットワーク又は移動アクセスネットワークに直接接続され且つ５Ｇコアネットワークに接続される端末、例えば、移動アクセスネットワークに接続される端末、又は固定アクセスネットワークに接続されるホームゲートウェイである。プライベートネットワークにおいて、Ｗｉ−Ｆｉ又はＢｌｕｅｔｏｏｔｈを使用することによってダイレクト装置に接続される装置は、インダイレクト（indirect）装置と呼ばれる。
【０００４】
図１に示される５ＧネットワークのＦＭＣネットワーキングで規定されるように、タイプ（Type）１は移動アクセスネットワーク接続のみがある場合であり、タイプ２は固定ネットワーク接続のみがある場合であり、タイプ３は移動アクセスネットワーク接続と固定ネットワーク接続との両方がある場合である。タイプ３のカスタマ構内設備（ＣＰＥ（Customer Premise Equipment））は、５Ｇとデジタル加入者線（ＤＳＬ（Digital Subscriber Line））との両方を使用することによって確立されるマルチ接続をサポートする必要があり、タイプ３のＵＥは、５ＧとＷｉ−Ｆｉ間接アクセスとの両方を使用することによって確立されるマルチ接続をサポートする必要がある。
【０００５】
ＦＭＣマルチ接続シナリオでは、複数の接続の動作モードが、ＵＥとコアネットワークとの間で交渉する必要がある。ＦＭＣマルチ接続の動作モードが分割である場合に、パケット送信シーケンスは、ＵＥとコアネットワークとの間の送信端及び受信端で直接マークする必要がある。ＦＭＣマルチ接続の動作モードがステアリングである場合に、フローに対するチャネルマッピングを実行するために、ＵＥとコアネットワークとの間でパケットを交換する必要がある。
【０００６】
図２は、ＵＥとコアネットワークとが５Ｇネットワークにおいて直接対話する必要があるシナリオの概略図である。主に４つのシナリオ、つまりＦＭＣマルチ接続チャネルアグリゲーション（aggregation）、ＦＭＣマルチ接続チャネル管理、プライベートネットワーク認識、及びプライベートネットワーク制御について説明する。これらのシナリオでは、ＵＥ及びコアネットワークは情報を直接交換する必要がある。図３に示されるアクセスシナリオが例として使用される。プライベートネットワーク認識は、ＣＰＥ及びＵＥがそれぞれ、プライベートネットワークのネットワーク状態及びプライベートネットワーク端末のサービスタイプを５Ｇコアネットワークに報告する必要があることを意味する。プライベートネットワーク制御は、５Ｇコアネットワークが、プライベートネットワーク端末のサービス品質（ＱｏＳ（Quality of Service））ポリシー、仮想ローカルエリアネットワーク（ＶＬＡＮ（Virtual Local Area Network））プラン等をＣＰＥ又はＵＥに送信する必要があることを意味する。
【０００７】
方式１：３ＧＰＰ非アクセス層（ＮＡＳ（Non Access Stratum））は、４つの機能、つまりＦＭＣマルチ接続チャネルアグリゲーション、ＦＭＣマルチ接続チャネル管理、プライベートネットワーク認識、及びプライベートネットワーク制御を実施するために使用されるパケットを搬送するために使用される。
【０００８】
図４は、３ＧＰＰ  ＴＳ  ２３．４０１におけるＥ−ＵＴＲＡＮアクセスの制御プレーンプロトコルスタックの概略図であり、ここで、ＮＡＳは、ＵＥとコアネットワークとの間の直接対話チャネルである。端末が３ＧＰＰ接続を有するときに、端末は４つの機能、つまりＦＭＣマルチ接続チャネルアグリゲーション、ＦＭＣマルチ接続チャネル管理、プライベートネットワーク認識、及びプライベートネットワーク制御を実施するために使用されるパケットを搬送するために拡張ＮＡＳを使用する。
【０００９】
方式１の不利点は、ＵＥとコアネットワークとの間の直接対話チャネルとしての３ＧＰＰ  ＮＡＳが以下の制限、つまりマルチパスアグリゲーション機能をサポートしていないという制限を有することである。ＮＡＳがシグナリングプレーン機能であるため、ＮＡＳは、パケットシーケンス番号を搬送するためのユーザプレーンのマルチ接続アグリゲーション機能の要件を満たすことができない。３ＧＰＰチャネルが利用できず、且つ非３ＧＰＰチャネルしかない場合に、例えばマルチ接続チャネル管理、プライベートネットワーク認識、プライベートネットワーク制御等の機能のＷＬＡＮ制御プロトコル(ＷＬＣＰ（WLAN Control Protocol）；無線ローカルエリアネットワーク（ＷＬＡＮ（Wireless Local Area Network）））をサポートしないＷｉ−Ｆｉ又はＤＳＬをサポートすることができない。シグナリングプレーンの性能が影響を受ける。ＮＡＳがシグナリングプレーンチャネル上で転送を実行するときに、マルチ接続管理、プライベートネットワーク認識、及びプライベートネットワーク制御のための頻繁なパケット転送は、３ＧＰＰシグナリング負荷を直ぐに増大させ、さらに悪い場合には３ＧＰＰシグナリング遅延をさらに増大させる。例えば、スイッチング中断、通話開始遅延の増大、及びページング遅延の増大等の、基本サービスのユーザエクスペリエンスに影響を与える問題が発生する可能性がある。
【００１０】
方式２：マルチパス送信制御プロトコル（ＭＰＴＣＰ（Multi-path Transmission Control Protocol））が使用される。
【００１１】
図５は、ＲＦＣ６８２４におけるＭＰＴＣＰのプロトコルスタックの説明を示している。このプロトコルスタックでは、アプリケーション（Application）レイヤのＴＣＰフローが、送信端のＭＰＴＣＰレイヤで２つのＴＣＰサブフローに分割されて別々に送信され、２つのサブフローは受信端でマージされてアプリケーションレイヤに送信される。
【００１２】
図６は、ＲＦＣ６８２４におけるＭＰＴＣＰの使用シナリオの概略図であり、ホスト（Host）Ａ及びホストＢはそれぞれ２つのアドレスを有する。サブフローのアグリゲーションポイントがホスト上に位置しており、サブフローのアグリゲーション機能が５Ｇコアネットワークにはない。
【００１３】
方式２の不利点は、ＭＰＴＣＰが、ＵＥとコアネットワークとの間のＦＭＣマルチ接続アグリゲーションに使用される場合に、以下の制限、つまりＭＰＴＣＰのアグリゲーションポイントが５Ｇコアネットワークではなくホスト上にあるという制限を有することである。従って、機能的には、５Ｇコアネットワークは、ＭＰＴＣＰに基づくＦＭＣマルチ接続アグリゲーション及び管理を実行することができない。ＭＰＴＣＰのアグリゲーションポイントはＴＣＰレイヤより上のレイヤにあり、このレイヤは３ＧＰＰの規定範囲を超えており、３ＧＰＰはＭＰＴＣＰレイヤより上のイノベーションを行うことができない。
【００１４】
従って、５ＧネットワークにおいてＵＥとコアネットワークとの間のダイレクトパケット交換をどの様に実施するかは、解決すべき問題である。
【発明の概要】
【００１５】
本発明の実施形態は、５ＧネットワークにおいてＵＥとコアネットワークとの間のダイレクトパケット交換を実施するためのパケット交換方法及び関連装置を提供する。
【００１６】
第１の態様によれば、本発明の一実施形態は、以下のステップを含むパケット交換方法を提供し、この方法は、第１の装置によって、ネットワークコンバージェンスプロトコル（ＮＣＰ）レイヤを使用することによって、パケットを取得するステップと、第１の装置のＮＣＰレイヤを使用することによって、第２の装置のＮＣＰレイヤにパケットを送信するステップとを含み、ここで、ＮＣＰレイヤはユーザプレーンのデータリンクレイヤに位置しており、第１の装置のＮＣＰレイヤ及び第２の装置のＮＣＰレイヤは、第１の装置と第２の装置との間にダイレクトデータ交換チャネルを形成し、第１の装置は端末であり、第２の装置はコアネットワーク装置であるか、又は第１の装置はコアネットワーク装置であり、第２の装置は端末である。
【００１７】
前述した方法では、ＮＣＰレイヤは、端末のユーザプレーンのデータリンクレイヤと、コアネットワーク装置のユーザプレーンのデータリンクレイヤとのそれぞれに設定され、端末のＮＣＰレイヤ及びコアネットワーク装置のＮＣＰレイヤはダイレクトデータ交換チャネルを形成し、端末及びコアネットワーク装置はダイレクトデータ交換チャネルを使用することによりパケットを直接交換し、それにより端末とコアネットワーク装置との間のダイレクトパケット交換を実現する。
【００１８】
可能な実施態様では、パケットは、フィックスドモバイルコンバージェンス（ＦＭＣ）シナリオにおけるパケットである。これは、ＦＭＣシナリオにおけるダイレクトパケット交換をさらに実施する。
【００１９】
可能な実施態様では、パケットは、ＦＭＣマルチ接続アグリゲーションに使用されるパケット、ＦＭＣマルチ接続管理に使用されるパケット、プライベートネットワーク認識に使用されるパケット、又はプライベートネットワーク制御に使用されるパケットである。これは、異なるシナリオにおけるダイレクトパケット交換をさらに実行する。
【００２０】
可能な実施態様では、ＮＣＰレイヤは、データリンクレイヤの最上位に位置しており、且つインターネットプロトコル（ＩＰ）レイヤより下に位置する。これは、ＩＰレイヤプロトコルに影響を与えず、且つアプリケーションプログラムの互換性を保証する。
【００２１】
可能な実施態様では、ロングタームエボリューション（ＬＴＥ）プロトコルが第１の装置と第２の装置との間のアクセスネットワーク（ＡＮ）に使用される場合に、ＮＣＰレイヤはパケットデータコンバージェンスプロトコル（ＰＤＣＰ）レイヤより上に位置しており；デジタル加入者線（ＤＳＬ）プロトコルが第１の装置と第２の装置との間のアクセスネットワーク（ＡＮ）に使用される場合に、ＮＣＰレイヤはポイントツーポイントプロトコル（ＰＰＰ）レイヤより上に位置しており；信頼性のある（trusted）ワイファイ（Ｗｉ−Ｆｉプロトコルが第１の装置と第２の装置との間のアクセスネットワークに使用される場合に、ＮＣＰレイヤは媒体アクセス制御（ＭＡＣ）レイヤより上に位置しており；又は、信頼性のない（untrusted）ワイファイ（Ｗｉ−Ｆｉ）プロトコルが第１の装置と第２の装置との間のアクセスネットワークに使用される場合に、ＮＣＰレイヤはインターネットプロトコルセキュリティ（ＩＰＳｅｃ）レイヤより上に位置する。これは、異なるアクセスネットワークタイプのシナリオにおける直接交換の問題をさらに解決する。
【００２２】
可能な実施態様では、ＮＣＰレイヤのプロトコルヘッダが、指定されたオプションタイプのインターネットプロトコル（ＩＰ）オプションを使用することによって搬送される；又は、ＮＣＰレイヤのプロトコルヘッダが、ＮＣＰタイプとＮＣＰデータとを含む。これは、特定のＮＣＰ実装をさらに明確にする。
【００２３】
第２の態様によれば、本発明の実施形態は、パケット交換方法を提供し、この方法は、第１の装置によって、ネットワークコンバージェンスプロトコル（ＮＣＰ）レイヤを使用することによって、第２の装置のＮＣＰレイヤによって送信されたパケットを受信するステップと、第１の装置によって、パケットを処理するステップとを含み、ＮＣＰレイヤはユーザプレーンのデータリンクレイヤに位置しており、第１の装置のＮＣＰレイヤ及び第２の装置のＮＣＰレイヤは、第１の装置と第２の装置との間にダイレクトデータ交換チャネルを形成し、第１の装置は端末であり得、第２の装置はコアネットワーク装置であり得るか、又は第１の装置はコアネットワーク装置であり得、第２の装置は端末であり得る。
【００２４】
前述した方法では、ＮＣＰレイヤは、端末のユーザプレーンのデータリンクレイヤと、コアネットワーク装置のユーザプレーンのデータリンクレイヤとのそれぞれに設定され、端末のＮＣＰレイヤ及びコアネットワーク装置のＮＣＰレイヤは、ダイレクトデータ交換チャネルを形成し、端末及びコアネットワーク装置はダイレクトデータ交換チャネルを使用することによりパケットを直接交換し、それにより端末とコアネットワーク装置との間のダイレクトパケット交換を実現する。
【００２５】
可能な実施態様では、パケットは、フィックスドモバイルコンバージェンス（ＦＭＣ）シナリオにおけるパケットである。これは、ＦＭＣシナリオにおけるダイレクトパケット交換をさらに実施する。
【００２６】
可能な実施態様では、パケットは、ＦＭＣマルチ接続アグリゲーションに使用されるパケット、ＦＭＣマルチ接続管理に使用されるパケット、プライベートネットワーク認識に使用されるパケット、又はプライベートネットワーク制御に使用されるパケットである。これは、異なるシナリオにおけるダイレクトパケット交換をさらに実施する。
【００２７】
可能な実施態様では、ＮＣＰレイヤは、データリンクレイヤの最上位に位置しており、且つインターネットプロトコル（ＩＰ）レイヤより下に位置する。これは、ＩＰレイヤプロトコルに影響を与えず、且つアプリケーションプログラムの互換性を保証する。
【００２８】
可能な実施態様では、ロングタームエボリューション（ＬＴＥ）プロトコルが第１の装置と第２の装置との間のアクセスネットワーク（ＡＮ）に使用される場合に、ＮＣＰレイヤはパケットデータコンバージェンスプロトコル（ＰＤＣＰ）レイヤより上に位置しており；デジタル加入者線（ＤＳＬ）プロトコルが第１の装置と第２の装置との間のアクセスネットワーク（ＡＮ）に使用される場合に、ＮＣＰレイヤはポイントツーポイントプロトコル（ＰＰＰ）レイヤより上に位置しており；信頼性のあるワイファイ（Ｗｉ−Ｆｉ）プロトコルが第１の装置と第２の装置との間のアクセスネットワーク（ＡＮ）に使用される場合に、ＮＣＰレイヤは媒体アクセス制御（ＭＡＣ）レイヤより上に位置しており；又は、信頼性のないワイファイ（Ｗｉ−Ｆｉ）プロトコルが第１の装置と第２の装置との間のアクセスネットワーク（ＡＮ）に使用される場合に、ＮＣＰレイヤはインターネットプロトコルセキュリティ（ＩＰＳｅｃ）レイヤより上に位置する。これは、異なるアクセスネットワークタイプのシナリオにおける直接交換の問題をさらに解決する。
【００２９】
可能な実施形態では、ＮＣＰレイヤのプロトコルヘッダが、指定されたオプションタイプのインターネットプロトコル（ＩＰ）オプションを使用することによって搬送される；又は、ＮＣＰレイヤのプロトコルヘッダが、ＮＣＰタイプとＮＣＰデータとを含む。これは、特定のＮＣＰ実装をさらに明確にする。
【００３０】
第３の態様によれば、本発明の一実施形態は装置を提供する。装置は、第１の態様又は第２の態様の方法の実施態様における第１の装置の動作を実施する機能を有する。機能は、ハードウェアによって実現してもよく、又はハードウェアによって実行される対応するソフトウェアによって実現してもよい。ハードウェア又はソフトウェアは、前述した機能に対応する１つ又は複数のモジュールを含む。
【００３１】
第４の態様によれば、本発明の一実施形態は、プロセッサと、メモリと、トランシーバとを含む装置を提供する。トランシーバは、プロセッサの制御下でデータを送受信するように設定される。メモリはプリセットプログラムを記憶する。プロセッサは、メモリ内のプログラムを読み出し、そのプログラムに従って第１の態様又は第２の態様の方法を実行する。
【００３２】
前述した技術的解決法に基づいて、本発明の実施形態では、ＮＣＰレイヤは、端末のユーザプレーンのデータリンクレイヤと、コアネットワーク装置のユーザプレーンのデータリンクレイヤとのそれぞれに設定され、端末のＮＣＰレイヤ及びコアネットワーク装置のＮＣＰレイヤはダイレクトデータ交換チャネルを形成し、端末及びコアネットワーク装置はダイレクトデータ交換チャネルを使用することによりパケットを直接交換し、それによって端末とコアネットワーク装置との間のダイレクトパケット交換を実現する。
【図面の簡単な説明】
【００３３】
【図１】５ＧネットワークのＦＭＣネットワーキングの概略構造図である。
【図２】ＵＥ及びコアネットワークが５Ｇネットワークにおいて直接対話する必要があるシナリオの概略図である。
【図３】アクセスシナリオの概略図である。
【図４】Ｅ−ＵＴＲＡＮアクセスの制御プレーンプロトコルスタックの概略図である。
【図５】ＭＰＴＣＰプロトコルスタックの概略図である。
【図６】ＭＰＴＣＰの使用シナリオの概略図である。
【図７】本発明の一実施形態によるパケット交換システムの概略アーキテクチャ図である。
【図８】本発明の一実施形態による、端末とＣＮとの間のパケット交換方法の概略フローチャートである。
【図９】本発明の一実施形態による、端末とＣＮとの間の別のパケット交換方法の概略フローチャートである。
【図１０】本発明の一実施形態による、異なる通信アクセス規格のプロトコルレイヤにおけるＮＣＰレイヤの位置の概略図である。
【図１１】本発明の一実施形態による、ＬＴＥのプロトコルレイヤにおけるＮＣＰレイヤの位置の概略図である。
【図１２】本発明の一実施形態による、ＤＳＬのプロトコルレイヤにおけるＮＣＰレイヤの位置の概略図である。
【図１３】本発明の一実施形態による、信頼性のあるＷｉ−ＦｉのプロトコルレイヤにおけるＮＣＰレイヤの位置の概略図である。
【図１４】本発明の一実施形態による、信頼性のないＷｉ−ＦｉのプロトコルレイヤにおけるＮＣＰレイヤの位置の概略図である。
【図１５】本発明の一実施形態による、ダイレクト装置とＣＮとがＮＣＰレイヤでハンドシェイクを実行してリンクを確立するプロセスの概略図である。
【図１６】本発明の一実施形態による、ダイレクト装置とＣＮとがＮＣＰレイヤでデータを転送するプロセスの概略図である。
【図１７】本発明の一実施形態による、インダイレクト装置とＣＮとがＮＣＰレイヤでハンドシェイクを実行してリンクを確立するプロセスの概略図である。
【図１８】本発明の一実施形態による、インダイレクトＵＥとＣＮとがＮＣＰレイヤでデータを転送するプロセスの概略図である。
【図１９】本発明の一実施形態による、ＮＣＰ  ＡＰＩインターフェイスを使用することによってパラメータが転送されるプロセスの概略図である。
【図２０】本発明の一実施形態による、マルチ接続モード交渉プロセスにおけるＮＣＰデータ転送プロセスの概略図である。
【図２１】本発明の一実施形態による、マルチ接続アクティブ／スタンバイモードに対応するリンク切替えプロセスにおけるＮＣＰデータ転送プロセスの概略図である。
【図２２】本発明の一実施形態による、マルチ接続ステアリングモードに対応するリンク切替えプロセスにおけるＮＣＰデータ転送プロセスの概略図である。
【図２３】本発明の一実施形態による分割プロセスの概略図である。
【図２４】本発明の一実施形態によるステアリングプロセスの概略図である。
【図２５】本発明の一実施形態による、アクティブ／スタンバイモードにおけるパケット転送プロセスの概略図である。
【図２６】本発明の一実施形態による、ＮＣＰ単一接続モードにおけるＩＰパケット転送の概略図である。
【図２７】本発明の一実施形態による、プライベートネットワーク状態報告に使用されるＮＣＰデータ転送の概略図である。
【図２８】本発明の一実施形態による、プライベートネットワークサービス登録に使用されるＮＣＰデータ転送の概略図である。
【図２９】本発明の一実施形態による、プライベートネットワーク制御に使用されるＮＣＰデータ転送の概略図である。
【図３０】本発明の一実施形態による、ＮＣＰプロトコルヘッダに対応するＩＰオプションの規定の概略図である。
【図３１】本発明の一実施形態によるＮＣＰプロトコルヘッダの概略構造図である。
【図３２】本発明の一実施形態による装置の概略構造図である。
【図３３】本発明の一実施形態による別の装置の概略構造図である。
【図３４】本発明の一実施形態による別の装置の概略構造図である。
【図３５】本発明の一実施形態による別の装置の概略構造図である。
【図３６】本発明の一実施形態による別の装置の概略構造図である。
【図３７】本発明の一実施形態による別の装置の概略構造図である。
【発明を実施するための形態】
【００３４】
本発明の目的、技術的解決策、及び利点をより明確にするために、以下では添付図面を参照しながら本発明についてさらに詳細に説明する。明らかに、説明する実施形態は、本発明の全ての実施形態というよりもむしろ単にいくつかの実施形態である。創造的な努力なしに本発明の実施形態に基づいて当業者が得る他の全ての実施形態は、本発明の保護範囲内に入るものとする。
【００３５】
本発明の核となる考えは以下の通りであり、それはネットワークコンバージェンスプロトコル（ＮＣＰ（Network Convergence Protocol））レイヤが、ＵＥとＣＮとの間のユーザプレーンデータリンクレイヤにおいてアクセス規格に依存しないダイレクトデータ交換チャネルとして設定されるという考えである。設定されるＮＣＰレイヤは、５ＧネットワークにおいてＵＥとコアネットワークとの間のダイレクトパケット交換を実施するために使用される。
【００３６】
設定されるＮＣＰレイヤは、ＦＭＣシナリオ又は非ＦＭＣシナリオで使用され得ることに留意されたい。以下では説明のための例としてＦＭＣシナリオを使用する。
【００３７】
本発明のこの実施形態では、図７は、パケット交換システムの概略アーキテクチャ図である。パケット交換システムは、主に、ＣＮ７０１、無線アクセスネットワーク（ＲＡＮ（Radio Access Network））７０２、固定アクセスネットワーク（ＦＡＮ（Fixed
Access Network））７０３、ＣＰＥ７０４、及びＵＥ７０５を含む。
【００３８】
ＣＮ７０１は、５Ｇコアネットワークであり、且つ主に、装置モビリティ管理、セッション管理、セキュリティ管理、マルチ接続管理、プライベートネットワーク認識、及びプライベートネットワーク制御に使用される。
【００３９】
ＲＡＮ７０２は、主に、ＬＴＥ又は５Ｇ等の３ＧＰＰ規格の無線アクセスサービスに使用される。
【００４０】
ＦＡＮ７０３は、主に、ＤＳＬ等の固定アクセスサービスに使用される。
【００４１】
ＣＰＥ７０４は、主に、Ｗｉ−Ｆｉ又はＢｌｕｅｔｏｏｔｈ等のプライベートネットワークを使用することによって、家電機器（home device）のコンバージェンスアクセスを実現するために使用される。
【００４２】
ＵＥ７０５は、主に、Ｗｉ−Ｆｉ又はＢｌｕｅｔｏｏｔｈ等のプライベートネットワークを使用することによって、様々なＷｉ−Ｆｉ又はＢｌｕｅｔｏｏｔｈ装置のコンバージェンスアクセスを実現するために使用される。
【００４３】
可能な実施態様では、システムは他の端末装置７０６をさらに含む。他の端末装置は、主に、パーソナルコンピュータ（ＰＣ）、スマートテレビ、ブルートゥースフォトフレーム、ブルートゥーススピーカボックス、ブルートゥース電球等を含む。
【００４４】
以下では、パケット交換システムに基づくＦＭＣマルチ接続、プライベートネットワーク認識、及びプライベートネットワーク制御のシナリオについて別々に説明する。
【００４５】
（１）ＦＭＣマルチ接続シナリオ
【００４６】
ＦＭＣマルチ接続シナリオは、２つのサブシナリオ、つまりＣＰＥマルチ接続とＵＥマルチ接続とを含む。
【００４７】
Ａ．ＣＰＥマルチ接続シナリオでは、ＣＰＥ７０４内のＮＣＰ１プロトコルエンティティが、２つの接続、つまりＲＡＮ７０２接続とＦＡＮ７０３接続とを統合（aggregate）し、ＣＮ７０１内の同等のＮＣＰ１プロトコルエンティティが、ＦＭＣマルチ接続統合とＦＭＣマルチ接続管理とを実行する。
【００４８】
Ｂ．ＵＥマルチ接続シナリオでは、ＵＥ７０５内のＮＣＰ２プロトコルエンティティが、２つの接続、つまりＲＡＮ７０２接続とＷｉ−Ｆｉ接続とを統合し、ＣＮ７０１内の同等のＮＣＰ２プロトコルエンティティが、ＦＭＣマルチ接続統合とＦＭＣマルチ接続管理とを実行する。
【００４９】
（２）プライベートネットワーク認識及びプライベートネットワーク制御シナリオ
【００５０】
プライベートネットワーク認識及びプライベートネットワーク制御シナリオは、４つのサブシナリオ、つまりＣＰＥプライベートネットワーク認識、ＣＰＥプライベートネットワーク制御、ＵＥプライベートネットワーク認識、及びＵＥプライベートネットワーク制御を含む。
【００５１】
Ａ．ＣＰＥプライベートネットワーク認識シナリオでは、ＣＰＥ７０４は、プライベートネットワークのネットワーク輻輳状態をスキャンし、プライベートネットワークの装置サービス、例えばスマートＴＶサービスをスキャンし、且つＮＣＰ１を使用することにより、プライベートネットワークのネットワーク輻輳状態及び装置サービスをコアネットワーク側のＮＣＰ１に報告する；ＣＮのＮＣＰ１は、プライベートネットワークのネットワーク輻輳状態及び装置サービスを、処理のためにＣＮ内の対応する機能エンティティに送信する。
【００５２】
Ｂ．ＣＰＥプライベートネットワーク制御シナリオでは、ＣＮのＮＣＰ１が、プライベートネットワーク内の装置のＱｏＳポリシー又はＶＬＡＮプランをＣＰＥ内のＮＣＰ１に送信し、ＣＰＥ内のＮＣＰ１が、ＱｏＳポリシー又はＶＬＡＮプランを、処理のためにＣＰＥ内の対応する機能エンティティに送信する。
【００５３】
Ｃ．ＵＥプライベートネットワーク認識シナリオでは、ＵＥは、プライベートネットワークのネットワーク輻輳状態をスキャンし、プライベートネットワークの装置サービス、例えばブルートゥーススピーカボックスサービスをスキャンし、且つＮＣＰ２を使用することにより、プライベートネットワークのネットワーク輻輳状態及び装置サービスをＣＮのＮＣＰ２に報告する；ＣＮのＮＣＰ２は、プライベートネットワークのネットワーク輻輳状態及び装置サービスを、処理のためにＣＮ内の対応する機能エンティティに送信する。
【００５４】
Ｄ．ＵＥプライベートネットワーク制御シナリオでは、ＣＮのＮＣＰ２は、プライベートネットワーク内の装置のＱｏＳポリシー又はＶＬＡＮプランをＣＰＥ内のＮＣＰ２に送信し、ＣＰＥ内のＮＣＰ２は、ＱｏＳポリシー又はＶＬＡＮプランを、処理のためにＵＥ内の対応する機能エンティティに送信する。
【００５５】
以下の実施形態では、ＮＣＰを使用することにより端末とＣＮとの間で転送されるデータは、端末とＣＮとの間で直接転送され得る３ＧＰＰシグナリング、非３ＧＰＰシグナリング、Ｓ１インターフェイスデータ等に限定されるものではない可能性がある。
【００５６】
同じ発明概念に基づいて、本発明の第１の実施形態において、図８は、端末とＣＮとの間のパケット交換の詳細な方法手順を示しており、ここで、第１の装置が端末であり、第２の装置がコアネットワーク装置であるか、又は第１の装置がコアネットワーク装置であり、第２の装置が端末である。具体的な説明は以下の通りである。
【００５７】
ステップ８０１：第１の装置は、第１の装置のＮＣＰレイヤを使用することによって、パケットを取得する。
【００５８】
特定の実施態様では、パケットはＦＭＣシナリオにおけるパケットである。
【００５９】
この実施形態では、ＦＭＣシナリオにおけるパケットは、ＦＭＣマルチ接続アグリゲーションに使用されるパケット、ＦＭＣマルチ接続管理に使用されるパケット、プライベートネットワーク認識に使用されるパケット、又はプライベートネットワーク制御に使用されるパケットであり得る。列挙されたシナリオは単なる例であり、あるいはまたパケットは別のＦＭＣシナリオにおけるパケットであってもよく、本発明の保護範囲は列挙されたシナリオに限定されるものではないことに留意されたい。
【００６０】
ステップ８０２：第１の装置は、第１の装置のＮＣＰレイヤを使用することによって、第２の装置のＮＣＰレイヤにパケットを送信し、ここで、ＮＣＰレイヤはユーザプレーンのデータリンクレイヤに位置しており、第１の装置のＮＣＰレイヤ及び第２の装置のＮＣＰレイヤは、第１の装置と第２の装置との間にダイレクトデータ交換チャネルを形成する。
【００６１】
特定の実施態様では、ＮＣＰレイヤは、データリンクレイヤの最上位に位置しており、且つインターネットプロトコル（ＩＰ（Internet Protocol））レイヤより下に位置する。
【００６２】
具体的には、端末とコアネットワークとの間の異なるアクセスネットワーク（ＡＮ（Access Network））プロトコルに基づいて、ＮＣＰレイヤの位置は以下のように説明される。
【００６３】
ロングタームエボリューション（ＬＴＥ（Long Term Evolution））プロトコルが第１の装置と第２の装置との間のアクセスネットワークに使用される場合に、ＮＣＰレイヤはパケットデータコンバージェンスプロトコル（ＰＤＣＰ（Packet Data Convergence Protocol））レイヤより上に位置する。
【００６４】
デジタル加入者線（ＤＳＬ）プロトコルが第１の装置と第２の装置との間のアクセスネットワークに使用される場合に、ＮＣＰレイヤはポイントツーポイントプロトコル（ＰＰＰ（Point-to-Point Protocol））レイヤより上に位置する。
【００６５】
信頼性のあるＷｉ−Ｆｉプロトコルが第１の装置と第２の装置との間のアクセスネットワークに使用される場合に、ＮＣＰレイヤは媒体アクセス制御（ＭＡＣ（Medium Access Control））レイヤより上に位置する。
【００６６】
信頼性のないＷｉ−Ｆｉプロトコルが第１の装置と第２の装置との間のアクセスネットワークに使用される場合に、ＮＣＰレイヤはインターネットプロトコルセキュリティ（ＩＰＳｅｃ（Internet Protocol Security））レイヤより上に位置する。
【００６７】
ＮＣＰはアクセス規格とは無関係であり、従って、ＮＣＰは様々なアクセスネットワーク規格に適用することができることに留意されたい。以下は単なる例である。例えば、ＮＣＰに対応するアクセスネットワーク規格は、ＬＴＥ、４．５Ｇ、５Ｇ、Ｗｉ−Ｆｉ、ＤＳＬ、ＷｉＭＡＸ、ＣＤＭＡ、ＷＣＤＭＡ、ＧＳＭ、Ｚｉｇｂｅｅ、Ｂｌｕｅｔｏｏｔｈ、及び赤外線等の規格であり得る。
【００６８】
本発明のこの実施形態では、ＮＣＰレイヤのプロトコルヘッダが、以下の２つの方法のうちの少なくとも１つの方法で規定され得る。詳細は以下の通りである。
【００６９】
第１の方法では、ＮＣＰレイヤのプロトコルヘッダは、指定されたオプションタイプのＩＰオプションを使用することによって搬送される。
【００７０】
第２の方法では、ＮＣＰレイヤのプロトコルヘッダは、ＮＣＰタイプとＮＣＰデータとを含む。ＮＣＰタイプの規定については、ＩＰオプションのサブタイプ（subtype）の規定を参照されたい。
【００７１】
この実施形態では、端末はＵＥ又はＣＰＥであり得る。
【００７２】
同じ発明概念に基づいて、本発明の第２の実施形態において、図９は、端末とＣＮとの間のパケット交換の他の詳細な方法手順を示しており、ここで、第１の装置が端末であり、第２の装置がコアネットワーク装置であるか、又は第１の装置がコアネットワーク装置であり、第２の装置が端末である、具体的な説明は以下の通りである。
【００７３】
ステップ９０１：第１の装置は、第１の装置のＮＣＰレイヤを使用することによって、第２の装置のＮＣＰレイヤによって送信されたパケットを受信する。
【００７４】
特定の実施形態では、パケットは、ＦＭＣシナリオにおけるパケットである。
【００７５】
この実施形態では、ＦＭＣシナリオにおけるパケットは、ＦＭＣマルチ接続アグリゲーションに使用されるパケット、ＦＭＣマルチ接続管理に使用されるパケット、プライベートネットワーク認識に使用されるパケット、又はプライベートネットワーク制御に使用されるパケットである。
【００７６】
ステップ９０２：第１の装置はパケットを処理し、ここで、ＮＣＰレイヤはユーザプレーンのデータリンクレイヤに位置しており、第１の装置のＮＣＰレイヤ及び第２の装置のＮＣＰレイヤは、第１の装置と第２の装置との間にダイレクトデータ交換チャネルを形成する。
【００７７】
特定の実施態様では、ＮＣＰレイヤは、データリンクレイヤの最上位に位置しており、且つインターネットプロトコル（ＩＰ）レイヤより下に位置する。
【００７８】
具体的には、端末とコアネットワークとの間の異なるアクセスネットワークプロトコルに基づいて、ＮＣＰレイヤの位置は以下のように説明される。
【００７９】
ＬＴＥプロトコルが第１の装置と第２の装置との間のアクセスネットワークに使用される場合に、ＮＣＰレイヤはＰＤＣＰレイヤより上に位置する。
【００８０】
ＤＳＬプロトコルが第１の装置と第２の装置との間のアクセスネットワークに使用される場合に、ＮＣＰレイヤはＰＰＰレイヤより上に位置する。
【００８１】
信頼性のあるＷｉ−Ｆｉプロトコルが第１の装置と第２の装置との間のアクセスネットワークに使用される場合に、ＮＣＰレイヤはＭＡＣレイヤより上に位置する。
【００８２】
信頼性のないＷｉ−Ｆｉプロトコルが第１の装置と第２の装置との間のアクセスネットワークに使用される場合に、ＮＣＰレイヤはＩＰＳｅｃレイヤより上に位置する。
【００８３】
本発明のこの実施形態では、ＮＣＰレイヤのプロトコルヘッダが、以下の２つの方法のうちの少なくとも１つの方法で規定され得る。詳細は以下の通りである。
【００８４】
第１の方法では、ＮＣＰレイヤのプロトコルヘッダは、指定されたオプションタイプのインターネットプロトコル（ＩＰ）オプションを使用することによって搬送される。
【００８５】
第２の方法では、ＮＣＰレイヤのプロトコルヘッダは、ＮＣＰタイプとＮＣＰデータとを含む。
【００８６】
この実施形態では、端末はＵＥ又はＣＰＥであり得る。
【００８７】
以下では、５ＧネットワークにおけるＦＭＣマルチ接続の場合に、ＵＥとコアネットワークとの間のダイレクトパケット交換のプロセスを説明するために例として特定の実施形態を使用する。
【００８８】
（１）異なる通信アクセス規格のプロトコルレイヤにおけるＮＣＰレイヤの位置
【００８９】
図１０は、異なる通信アクセス規格のプロトコルレイヤにおけるＮＣＰレイヤの位置の概略図である。各通信アクセス規格において、ＮＣＰレイヤは、データリンクレイヤに位置しており、且つインターネットプロトコル（ＩＰ（Internet Protocol））レイヤより下に位置する。
【００９０】
ＮＣＰレイヤの主な機能は、以下の通りである；つまり従来のＩＰパケットを搬送すること、ここで、ＩＰパケットの転送性能は、主に、トランスペアレント伝送モードを使用することによって保証される；マルチ接続アグリゲーション及び分割の機能をサポートするために、マルチ接続アグリゲーションにおいてパケットシーケンス番号のヘッダを搬送すること；マルチ接続管理情報を搬送して、複数のＦＭＣ接続の間のステアリング及びスイッチング（switching）の機能を実施すること；５Ｇコアネットワークがプライベートネットワークの状態及びサービスを感知できるように、プライベートネットワーク認識情報を搬送すること；５Ｇコアネットワークがプライベートネットワーク装置のＱｏＳ及びＶＬＡＮプランを制御できるように、プライベートネットワーク制御情報を搬送すること；及び、ＮＣＰネスト化をサポートすること；である。
【００９１】
以下では、説明のための例として、ＬＴＥ、ＤＳＬ、信頼性のあるＷｉ−Ｆｉ、及び信頼性のないＷｉ−ＦｉプロトコルにおけるＮＣＰレイヤの位置を使用する。
【００９２】
Ａ．ＬＴＥプロトコルレイヤにおけるＮＣＰレイヤの位置が図１１に示される。ＮＣＰレイヤは、既存のＬＴＥプロトコルにおけるパケットデータコンバージェンスプロトコル（ＰＤＣＰ（Packet Data Convergence Protocol））レイヤより上に追加される。ＧＴＰ−Ｕは、ＮＣＰレイヤにおけるトランスペアレント伝送をサポートしている。ＩＰパケットを搬送することに加えて、ＮＣＰレイヤは、５Ｇで必要とされる別のパケットも搬送する。伝送効率を向上させるために、ＮＣＰレイヤはオプションである。
【００９３】
Ｂ．ＤＳＬプロトコルレイヤにおけるＮＣＰレイヤの位置が図１２に示される。ＮＣＰレイヤは既存のＤＳＬプロトコルのＰＰＰレイヤより上に追加される。ＩＰパケットを搬送することに加えて、ＮＣＰレイヤは、５Ｇで必要とされる別のパケットも搬送する。伝送効率を向上させるために、ＮＣＰレイヤはオプションである。
【００９４】
Ｃ．信頼性のあるＷｉ−ＦｉプロトコルレイヤにおけるＮＣＰレイヤの位置が図１３に示される。ＮＣＰレイヤは、既存の信頼性のあるＷｉ−ＦｉプロトコルのＭＡＣレイヤより上に追加される。ＩＰパケットを搬送することに加えて、ＮＣＰレイヤは、５Ｇで必要とされる別のパケットも搬送する。
【００９５】
Ｄ．信頼性のないＷｉ−ＦｉプロトコルレイヤにおけるＮＣＰレイヤの位置が図１４に示される。ＮＣＰレイヤは、既存の信頼性のないＷｉ−ＦｉプロトコルのＩＰＳｅｃレイヤより上に追加される。ＩＰパケットを搬送することに加えて、ＮＣＰレイヤは、５Ｇで必要とされる別のパケットも搬送する。
【００９６】
（２）ＮＣＰレイヤにおける一般的なメッセージ処理手順
【００９７】
Ａ．ＮＣＰレイヤにおけるダイレクト装置とＣＮとの間のハンドシェイクベースのリンク確立
【００９８】
図１５に示されるように、ＣＮのＮＣＰレイヤは、ハンドシェイク要求メッセージ（Handshake-Request）をＵＥのＮＣＰレイヤに事前に（proactively）送信し、ここで、ハンドシェイク要求メッセージは、サービスパケット又は構築された専用パケットで搬送され得る。オプションで、ハンドシェイク要求メッセージは宛先アドレスを搬送し、宛先アドレスはＵＥのＩＰアドレスである。ＵＥのＮＣＰレイヤは、ハンドシェイク応答メッセージ（Handshake-Response）をＣＮのＮＣＰレイヤに返す。ＣＮのＮＣＰレイヤは、ハンドシェイク確認応答メッセージ（Handshake-ACK）をＵＥのＮＣＰレイヤに送信して、ダイレクト装置及びＣＮがリンクを確立するためにＮＣＰレイヤでハンドシェイクを実行するプロセスを完了する。
【００９９】
Ｂ．ＮＣＰレイヤにおけるダイレクト装置とＣＮとの間のデータ転送
【０１００】
図１６に示されるように、ＵＥのＮＣＰレイヤは、ＮＣＰデータをＣＮのＮＣＰレイヤに事前に送信し、ここで、ＮＣＰデータは、サービスパケット又は構築された専用パケットで搬送され得；そして、ＣＮのＮＣＰレイヤは、サービス要件に基づいて、ＵＥのＮＣＰレイヤに応答を返すかどうかを決定する。あるいはまた、ＣＮのＮＣＰレイヤは、ＮＣＰデータをＵＥのＮＣＰレイヤに事前に送信し、ここで、ＮＣＰデータは、サービスパケット又は構築された専用パケットで搬送され得；そして、ＵＥのＮＣＰレイヤは、サービス要件に基づいて、ＣＮのＮＣＰレイヤに応答を返すかどうかを決定する。
【０１０１】
Ｃ．ＮＣＰレイヤにおけるインダイレクト装置とＣＮとの間のハンドシェイクベースのリンク確立
【０１０２】
図１７に示されるように、ＣＮのＮＣＰ２レイヤは、ハンドシェイク要求メッセージをインダイレクトＵＥのＮＣＰ２レイヤに事前に送信し、ここで、ハンドシェイク要求メッセージは、サービスパケット又は構築された専用パケットで搬送され得る。具体的には、ＣＮのＮＣＰ２は、どの宛先アドレスがインダイレクトＵＥのＩＰアドレスであるかのハンドシェイク要求メッセージをＣＮのＮＣＰ１に送信する。ＣＮのＮＣＰ１は、ハンドシェイク要求メッセージをダイレクトＵＥのＮＣＰ１レイヤに透過的に送信する。ハンドシェイク要求メッセージの宛先アドレスがダイレクトＵＥのＩＰアドレスではないことを見出した場合に、ダイレクトＵＥは、ハンドシェイク要求メッセージをインダイレクトＵＥのＮＣＰ２レイヤに透過的に送信する。
【０１０３】
ハンドシェイク要求メッセージを受信した後に、インダイレクトＵＥのＮＣＰ２レイヤは、ダイレクトＵＥのＮＣＰ１及びＣＮのＮＣＰ１レイヤを使用することによって、ハンドシェイク応答メッセージをＣＮのＮＣＰ２レイヤに透過的に送信する。
【０１０４】
ＣＮのＮＣＰ２レイヤは、ＣＮのＮＣＰ１レイヤ及びダイレクトＵＥのＮＣＰ１レイヤを使用することによって、ハンドシェイク確認応答メッセージをインダイレクトＵＥのＮＣＰ２レイヤに透過的に送信する。インダイレクトＵＥのＮＣＰ２レイヤがハンドシェイク確認応答メッセージを受信した後に、ハンドシェイクベースのリンク確立プロセスが完了する。
【０１０５】
Ｄ．ＮＣＰレイヤにおけるインダイレクトＵＥとＣＮとの間のデータ転送
【０１０６】
図１８に示されるように、インダイレクトＵＥのＮＣＰ２レイヤは、ダイレクトＵＥのＮＣＰ１レイヤ及びＣＮのＮＣＰ１レイヤを使用することによって、ＮＣＰデータをＣＮのＮＣＰ２レイヤに透過的に送信し、ここで、ＮＣＰデータを搬送するパケットが、ＣＮのＮＣＰ２レイヤのアドレスＩＰを搬送する。ダイレクトＵＥのＮＣＰ１レイヤ及びＣＮのＮＣＰ１レイヤが、ＮＣＰデータで搬送されるＩＰアドレスがダイレクトＵＥのＮＣＰ１レイヤのＩＰアドレス又はＣＮのＮＣＰ１レイヤのＩＰアドレスではないことを見出した後に、ＮＣＰデータは透過的に送信される。ＣＮのＮＣＰ２レイヤは、サービス論理に基づいて応答を返すかどうかを決定する。
【０１０７】
あるいはまた、ＣＮのＮＣＰ２レイヤは、ＣＮのＮＣＰ１レイヤ及びダイレクトＵＥのＮＣＰ１レイヤを使用することによって、ＮＣＰデータをインダイレクトＵＥのＮＣＰ２レイヤに透過的に送信し、ここで、ＮＣＰデータを搬送するパケットが、インダイレクトＵＥのＮＣＰ２レイヤのアドレスＩＰを搬送する。ＣＮのＮＣＰ１レイヤ及びダイレクトＵＥのＮＣＰ１レイヤが、ＮＣＰデータで搬送されたＩＰアドレスがＣＮのＮＣＰ１レイヤのＩＰアドレス又はダイレクトＵＥのＮＣＰ１レイヤのＩＰアドレスではないことを見出した後に、ＮＣＰデータは透過的に送信される。インダイレクトＵＥのＮＣＰ２レイヤは、サービス論理に基づいて応答を返すかどうかを決定する。
【０１０８】
Ｅ．ＮＣＰアプリケーションプログラミングインターフェイス（ＡＰＩ（Application Programming Interface））
【０１０９】
図１９に示されるように、ＵＥにインストールされたアプリケーションは、ＡＰＩインターフェイスのＦｕｎｃｔｉｏｎＩｎｖｏｋｅ機能を使用することによりＮＣＰ機能を呼び出す。パラメータをＮＣＰデータ内にカプセル化した後に、ＵＥのＮＣＰはＮＣＰデータをＣＮのＮＣＰに送信する。ＣＮのＮＣＰは、ＮＣＰデータ内のカプセル化されたパラメータに基づいて、ＣＮ内の対応する機能エンティティを呼び出す。ＣＮ内の機能エンティティはＣＮのＮＣＰに応答を返し、ＣＮのＮＣＰはその応答をＵＥのＮＣＰに送信し、ＵＥのＮＣＰはその応答をＵＥ内のアプリケーションに返す。
【０１１０】
ＵＥ内のアプリケーションが特定のイベントに加入することを要求した場合であって、イベントがトリガされた後に、ＣＮは、ＣＮのＮＣＰを使用することによって、イベントをＵＥのＮＣＰに事前に通知し、次にＵＥのＮＣＰは、イベントをＵＥのアプリケーションに通知する。
【０１１１】
（３）異なるシナリオにおけるＮＣＰデータ転送プロセス
【０１１２】
Ａ．マルチ接続モード交渉（negotiation）プロセスにおけるＮＣＰデータ転送
【０１１３】
図２０に示されるように、ＣＮのＮＣＰレイヤは、マルチ接続ポリシー管理メッセージをＵＥのＮＣＰレイヤに事前に送信し、ここで、マルチ接続ポリシー管理メッセージは、セッション識別子と特定のマルチ接続モードを示す情報とを搬送する。ＵＥのＮＣＰは、マルチ接続ポリシー管理確認応答メッセージをＣＮのＮＣＰに返し、ここで、マルチ接続ポリシー管理確認応答メッセージは、セッション識別子と、確認応答されたマルチ接続モードを示す情報とを搬送する。
【０１１４】
マルチ接続モードは、アクティブ／スタンバイモード、ステアリングモード、及び分割モードのうちの任意の１つ又は任意の組み合わせを含むが、これらに限定されるものではない。
【０１１５】
アクティブ／スタンバイモードでは、２つ以上のリンクのうちの１つのリンクのみが、アクティブ状態であり且つデータ転送に使用され、他のリンクはデータ転送には使用されない。
【０１１６】
ステアリングモードでは、２つ以上のリンクが同時にアクティブ状態であるが、同じデータフローは同じリンク上でのみ送信することができる。
【０１１７】
分割モードでは、２つ以上のリンクが同時にアクティブ状態であるが、同じデータフローを異なるリンク上で送信することができる。
【０１１８】
ＵＥのＮＣＰによって事前に開始されたマルチ接続モード交渉プロセスは、前述したプロセスと同様であり、詳細はここでは説明しない。
【０１１９】
Ｂ．アクティブ／スタンバイマルチ接続モードでのリンク切替えプロセスにおけるＮＣＰデータ転送
【０１２０】
図２１に示されるように、ＵＥのＮＣＰは、マルチ接続リンク切替え要求をＣＮのＮＣＰに送信し、ここで、マルチ接続リンク切替え要求は、セッション識別子と、要求されたアクティブリンクを示す情報とを搬送する。ＣＮのＮＣＰは、マルチ接続リンク切替え指標をＵＥのＮＣＰに送信し、ここで、マルチ接続リンク切替え指標は、セッション識別子と、要求されたアクティブリンクを示す情報とを搬送する。ＵＥのＮＣＰは、マルチ接続リンク切替え確認応答をＣＮのＮＣＰに返し、ここで、マルチ接続リンク切替え確認応答は、セッション識別子と、アクティブに切り替えられたリンクを示す情報とを搬送する。
【０１２１】
ＣＮのＮＣＰによって事前に開始されたアクティブ／スタンバイリンク切替えプロセスは、前述したプロセスと同様であり、詳細はここでは説明しない。
【０１２２】
Ｃ．マルチ接続ステアリングモードでのリンク切替えプロセスにおけるＮＣＰデータ転送
【０１２３】
図２２に示されるように、ＵＥのＮＣＰは、マルチ接続フローリンク（flow link）切替え要求をＣＮのＮＣＰに送信し、ここで、マルチ接続フローリンク切替え要求は、フロー規則とセッション識別子とを搬送する。ＣＮのＮＣＰは、マルチ接続フローリンク切替え指標をＵＥのＮＣＰに送信し、ここで、マルチ接続フローリンク切替え指標は、フロー規則とセッション識別子とを搬送する。ＵＥのＮＣＰは、マルチ接続フローリンク切替え確認応答をＣＮのＮＣＰに送信し、ここで、マルチ接続フローリンク切替え確認応答は、有効なフロー規則とセッション識別子とを搬送する。フロー規則は、主に、フロー情報と対応するリンク識別子とを含む。マルチ接続フローリンク切替え要求、マルチ接続フローリンク切替え指標、及びマルチ接続フローリンク切替え確認応答は、１つ又は複数のフロー規則を搬送することができる。
【０１２４】
Ｄ．分割モード、すなわちマルチ接続アグリゲーションモードにおけるＮＣＰマルチ接続ＩＰパケット転送
【０１２５】
図２３に示されるように、ＵＥのＩＰパケットがＵＥのＮＣＰレイヤに送信され、ＵＥのＮＣＰレイヤは、分割モードでＩＰパケットを異なるチャネルで送信し、且つＮＣＰヘッダを各ＩＰパケット内に挿入し、ここで、ＮＣＰヘッダは、ＩＰパケットのシーケンス番号を含む。ＩＰパケットを異なるチャネルから受信した後に、ＣＮのＮＣＰレイヤは、各ＩＰパケットのＮＣＰヘッダ内のＩＰパケットのシーケンス番号に基づいてＩＰパケットをソート（sort）し、そのＩＰパケットをＣＮのＩＰレイヤに提示する。
【０１２６】
Ｅ．ステアリングモードにおけるＮＣＰマルチ接続ＩＰパケット転送
【０１２７】
図２４に示されるように、ＵＥのＩＰパケットがＵＥのＮＣＰレイヤに送信され、ＵＥのＮＣＰレイヤは、ステアリングモードでＩＰパケットを異なるチャネルで送信し、ここで、ＮＣＰヘッダはＩＰパケット内に挿入されていない。同期チャネルからＩＰパケットを受信した後に、ＣＮのＮＣＰレイヤはＩＰパケットをＣＮのＩＰレイヤに直接提示する。
【０１２８】
Ｆ．アクティブ／スタンバイモードにおけるＮＣＰマルチ接続ＩＰパケット転送
【０１２９】
図２５に示されるように、ＵＥのＩＰパケットがＵＥのＮＣＰレイヤに送信され、ＵＥのＮＣＰレイヤは、ＩＰパケットをアクティブチャネルでのみ送信し、ここでＮＣＰヘッダはＩＰパケット内に挿入されていない。アクティブチャネルからＩＰパケットを受信した後に、ＣＮのＮＣＰはそのＩＰパケットをＣＮのＩＰレイヤに直接提示する。
【０１３０】
Ｇ．ＮＣＰシングル接続モードにおけるＩＰパケット転送
【０１３１】
図２６に示されるように、ＵＥのＩＰパケットがＵＥのＮＣＰレイヤに送信され、ＵＥのＮＣＰレイヤはＩＰパケットを透過的に送信し、ここでＮＣＰヘッダはＩＰパケット内に挿入されていない。ＩＰパケットを受信した後に、ＣＮのＮＣＰレイヤはＩＰパケットをＣＮのＩＰレイヤに直接提示する。
【０１３２】
Ｈ．プライベートネットワーク状態報告のためのＮＣＰデータ転送
【０１３３】
図２７に示されるように、ＵＥのプライベートネットワーク状態エンティティは、プライベートネットワーク状態値をＣＮに送信するためにＵＥのＮＣＰレイヤのＡＰＩインターフェイスを呼び出す。プライベートネットワーク状態値を受信した後に、ＵＥのＮＣＰレイヤは、プライベートネットワーク状態値をＮＣＰデータとしてカプセル化し、そのＮＣＰデータをＣＮのＮＣＰレイヤに送信する。状態報告を受信した後に、ＣＮのＮＣＰレイヤは、状態報告をＣＮのプライベートネットワーク状態管理エンティティに転送（forward：自動転送）する。
【０１３４】
Ｉ．プライベートネットワークサービス登録のためのＮＣＰデータ転送
【０１３５】
図２８に示されるように、ＵＥのプライベートネットワークサービススキャニングエンティティは、サービス管理情報をＣＮに送信するためにＵＥのＮＣＰレイヤのＡＰＩインターフェイスを呼び出す。サービス管理情報を受信した後に、ＵＥのＮＣＰレイヤは、サービス管理情報をＮＣＰデータとしてカプセル化し、そのＮＣＰデータをＣＮのＮＣＰレイヤに送信する。ＣＮのＮＣＰレイヤは、受信したＮＣＰデータ内のサービス管理情報をＣＮのサービス管理エンティティに転送（forward）する。
【０１３６】
Ｊ．プライベートネットワーク制御のためのＮＣＰデータ転送
【０１３７】
図２９に示されるように、ＣＮのプライベートネットワーク制御エンティティは、プライベートネットワーク制御メッセージをＣＮのＮＣＰレイヤに送信し、ここで、プライベートネットワーク制御メッセージは制御ポリシーを搬送する。プライベートネットワーク制御メッセージを受信した後に、ＣＮのＮＣＰレイヤは、プライベートネットワーク制御メッセージをＵＥのＮＣＰレイヤに転送（forward）する。プライベートネットワーク制御メッセージを受信した後に、ＵＥのＮＣＰレイヤは、プライベートネットワーク制御エンティティの登録コールバック機能を使用することによって、制御ポリシーをＵＥのプライベートネットワーク制御エンティティに送信する。
【０１３８】
制御ポリシーは、ＱｏＳポリシー、例えばプライベートネットワーク内のユーザのＱｏＳポリシー又はプライベートネットワーク内のサービスのＱｏＳポリシーを含み得る。
【０１３９】
（４）ＮＣＰプロトコルヘッダの規定
【０１４０】
第１の規定方法では、ＮＣＰレイヤは、データリンクレイヤに属しており、且つＩＰレイヤより下に位置する。ＮＣＰプロトコルヘッダが既存のプロトコルシステムと互換性があることを保証するために、ＮＣＰヘッダはＩＰオプション（Option）を使用することにより実装される。それに対応して、オプションタイプ（Option
Type）、例えば２８が、ＩＥＴＦのＮＣＰに対して別々に適用され得る。
【０１４１】
ＮＣＰに対応するＩＰオプションの規定が図３０に示される。具体的には、オプションタイプ（Option Type）＝２８であって、サブタイプ（Subtype）＝０の場合に、ＩＰオプションはパケットがハンドシェイク要求（Handshake-Request）であることを示す；サブタイプ（Subtype）＝１の場合に、ＩＰオプションはパケットがハンドシェイク応答（Handshake-Response）であることを示す；サブタイプ（Subtype）＝２の場合に、ＩＰオプションはパケットがハンドシェイク確認応答（Handshake-ACK）であることを示す；サブタイプ（Subtype）＝６４の場合に、ＩＰオプションはパケットがデータ転送−マルチパスポリシー管理（DataTransfer-Multipath Policy management）であることを示す；サブタイプ（Subtype）＝６５の場合に、ＩＰオプションはパケットがデータ転送−マルチパスポリシー管理確認応答（DataTransfer-Multipath Policy management Ack）であることを示す；サブタイプ（Subtype）＝６６の場合に、ＩＰオプションはパケットがデータ転送−マルチパスリンク切替え要求（DataTransfer-Multipath Link Switch Request）であることを示す；サブタイプ（Subtype）＝６７の場合に、ＩＰオプションはパケットがデータ転送−マルチパスリンク切替え指標（DataTransfer-Multipath Link Switch Indication）であることを示す；サブタイプ（Subtype）＝６８の場合に、ＩＰオプションはパケットがデータ転送−マルチパスリンク切替え確認応答（DataTransfer-Multipath Link Switch Ack）であることを示す；サブタイプ（Subtype）＝７０の場合に、ＩＰオプションはパケットがデータ転送−マルチパスフローリンク切替え要求（DataTransfer-Multipath Flow Link Switch Request）であることを示す；サブタイプ（Subtype）＝７１の場合に、ＩＰオプションはパケットがデータ転送−マルチパスフローリンク切替え指標（DataTransfer-Multipath Flow Link Switch Indication）であることを示す；サブタイプ（Subtype）＝７２の場合に、ＩＰオプションはパケットがデータ転送−マルチパスフローリンク切替え確認応答（DataTransfer-Multipath Flow Link Switch Ack）であることを示す；サブタイプ（Subtype）＝７４の場合に、ＩＰオプションはパケットがデータ転送−マルチパス分割（DataTransfer-Multipath
Splitting）であることを示す；サブタイプ（Subtype）＝７６の場合に、ＩＰオプションはパケットがデータ転送−プライベート装置サービス管理（DataTransfer-Private Device Service Management）であることを示す；サブタイプ（Subtype）＝７８の場合に、ＩＰオプションはパケットがデータ転送−プライベートネットワーク状態報告（DataTransfer-Private Network Status Report）であることを示す；サブタイプ（Subtype）＝８０の場合に、ＩＰオプションはパケットがデータ転送−プライベート装置ポリシー制御（DataTransfer-Private Device Policy Control）であることを示す；サブタイプ（Subtype）＝８２の場合に、ＩＰオプションはパケットがデータ転送−プライベート装置ＶＬＡＮ制御（DataTransfer-Private Device VLAN Control）であることを示す；サブタイプ（Subtype）＝８４の場合に、ＩＰオプションはパケットがデータ転送−ネスト化ＮＣＰ（DataTransfer-Nested
NCP）であることを示す；サブタイプ（Subtype）＝８６の場合に、ＩＰオプションはパケットがデータ転送−非３ＧＰＰ  ＮＡＳ信号（DataTransfer-Non 3GPP NAS Signal）であることを示す；サブタイプ（Subtype）＝１２８の場合に、ＩＰオプションはパケットが機能呼出し−プライベートネットワーク輻輳状態（FunctionInvoke-Private Network Congestion Status）であることを示す；サブタイプ（Subtype）＝１３０の場合に、ＩＰオプションはパケットが機能呼出し−プライベートネットワーク内の利用可能なサービスクエリ（FunctionInvoke-Available Service Query in Private Network）であることを示す；サブタイプ（Subtype）＝１３２の場合に、ＩＰオプションはパケットが機能イベント−プライベート（FunctionEvent-Private）であることを示す。
【０１４２】
第２の規定方法では、ＮＣＰレイヤはデータリンクレイヤの最上位に位置しており、使用される異なるアクセスネットワークプロトコルに基づいて、ＮＣＰレイヤは、ＰＤＣＰレイヤ、ＰＰＰレイヤ、Ｗｉ−Ｆｉ  ＭＡＣレイヤ、又はＩＰＳｅｃレイヤより上で搬送する必要がある。
【０１４３】
３ＧＰＰ  ＰＤＣＰレイヤの場合に、新しいＳＤＵタイプ（例えば、値が６）は、ＰＤＣＰによって搬送されるパケットがＮＣＰパケットであることを示すために規定され得る。
【０１４４】
非３ＧＰＰのＰＰＰ、ＰＤＣＰ、Ｗｉ−Ｆｉ  ＭＡＣ、及びＩＰＳｅｃレイヤであって、ＮＣＰレイヤがそれらより上で搬送される場合に、対応するペイロード（payload）タイプは、ＩＰパケットと同じタイプ、つまり０×０８００に設定する必要がある。この場合に、ＩＰパケットヘッダ圧縮機能は、ＰＰＰ、ＰＤＣＰ、Ｗｉ−Ｆｉ  ＭＡＣ、及びＩＰＳｅｃレイヤについては有効にならない。圧縮機能は、ＮＣＰレイヤによって実施することができる。ＮＣＰ圧縮プロセスはこの仕様では規定されない。換言すれば、ＮＣＰレイヤのパケットタイプは、ＩＰパケットタイプと同じ規定を使用する。
【０１４５】
図３１は、新たに規定されたＮＣＰプロトコルヘッダの概略構成図である。ＮＣＰプロトコルヘッダは、ＮＣＰタイプとＮＣＰデータとを含む。ＮＣＰタイプの規定方法について、第１の規定方法のサブタイプ規定方法を参照されたい。
【０１４６】
同じ発明思想に基づいて、本発明の第３の実施形態は装置を提供する。装置の具体的な実施態様については、第１の実施形態における第１の装置に関する関連説明を参照されたい。繰返しの内容は、ここでは再び説明しない。図３２に示されるように、装置は、主に、
装置のＮＣＰレイヤを使用することによって、パケットを取得するように設定される処理モジュール３２０１と、
装置のＮＣＰレイヤを使用することによって、第２の装置のＮＣＰレイヤにパケットを送信するように設定される通信モジュール３２０２と、を含み、
ここで、ＮＣＰレイヤはユーザプレーンのデータリンクレイヤに位置しており、装置のＮＣＰレイヤ及び第２の装置のＮＣＰレイヤは、装置と第２の装置との間にダイレクトデータ交換チャネルを形成する。
【０１４７】
装置は端末であり、第２の装置はコアネットワーク装置であるか、又は装置はコアネットワーク装置であり、第２の装置は端末である。
【０１４８】
同じ発明思想に基づいて、本発明の第４の実施形態は別の装置を提供する。装置の具体的な実施態様については、第２の実施形態における第１の装置に関する関連説明を参照されたい。繰返しの内容は、ここでは再び説明しない。図３３に示されるように、装置は、主に、
装置のＮＣＰレイヤを使用することによって、第２の装置のＮＣＰレイヤによって送信されたパケットを受信するように設定される通信モジュール３３０１と、
パケットを処理するように設定される処理モジュール３３０２と、を含む。
【０１４９】
ＮＣＰレイヤはユーザプレーンのデータリンクレイヤに位置しており、装置のＮＣＰレイヤ及び第２の装置のＮＣＰレイヤは、装置と第２の装置との間にダイレクトデータ交換チャネルを形成する。
【０１５０】
装置は端末であり、第２の装置はコアネットワーク装置であるか、又は装置はコアネットワーク装置であり、第２の装置は端末である。
【０１５１】
同じ発明思想に基づいて、本発明の第５の実施形態は装置をさらに提供する。装置の具体的な実施態様については、第１の実施形態における第１の装置に関する説明を参照されたい。繰返しの内容は、ここでは再び説明しない。図３４に示されるように、装置は、主に、プロセッサ３４０１、メモリ３４０２、及びトランシーバ３４０３を含む。トランシーバ３４０３は、プロセッサ３４０１の制御下でデータを送受信するように設定される。メモリ３４０２は、プリセットプログラムを記憶する。プロセッサ３４０１は、メモリ３４０２内のプログラムを読み出し、そのプログラムに従って以下の処理を実行する：その処理は、
装置のＮＣＰレイヤを使用することによって、パケットを取得することと、
装置のＮＣＰレイヤを使用することによって、第２の装置のＮＣＰレイヤにパケットを送信するようにトランシーバに命令することと、を含み、ここで、ＮＣＰレイヤはユーザプレーンのデータリンクレイヤに位置しており、装置のＮＣＰレイヤ及び第２の装置のＮＣＰレイヤは、装置と第２の装置との間にダイレクトデータ交換チャネルを形成する。
【０１５２】
装置は端末であり、第２の装置はコアネットワーク装置であるか、又は装置はコアネットワーク装置であり、第２の装置は端末である。
【０１５３】
具体的には、プロセッサは、第３の実施形態における処理モジュールの機能を実行するように設定され、トランシーバは、プロセッサの制御下で第３の実施形態における通信モジュールの機能を実行するように設定される。
【０１５４】
具体的には、装置が端末である場合に、端末はＵＥである。
【０１５５】
同じ発明思想に基づいて、本発明の第６の実施形態は装置をさらに提供する。装置の具体的な実施態様については、第２の実施形態における第１の装置に関する説明を参照されたい。繰返しの内容は、ここでは再び説明しない。図３５に示されるように、装置は、主に、プロセッサ３５０１、メモリ３５０２、及びトランシーバ３５０３を含む。トランシーバ３５０３は、プロセッサ３５０１の制御下でデータを送受信するように設定される。メモリ３５０２は、プリセットプログラムを記憶する。プロセッサ３５０１は、メモリ３５０２内のプログラムを読み出し、そのプログラムに従って以下の処理を実行する：その処理は、
装置のＮＣＰレイヤを使用することによって、第２の装置のＮＣＰレイヤによって送信されたパケットを受信するようにトランシーバに命令することと、
パケットを処理することと、を含む。
【０１５６】
ＮＣＰレイヤはユーザプレーンのデータリンクレイヤに位置しており、装置のＮＣＰレイヤ及び第２の装置のＮＣＰレイヤは、装置と第２の装置との間にダイレクトデータ交換チャネルを形成する。
【０１５７】
装置は端末であり、第２の装置はコアネットワーク装置であるか、又は装置はコアネットワーク装置であり、第２の装置は端末である。
【０１５８】
具体的には、プロセッサは、第４の実施形態における処理モジュールの機能を実行するように設定され、トランシーバは、プロセッサの制御下で第４の実施形態における通信モジュールの機能を実行するように設定される。
【０１５９】
具体的には、装置が端末である場合に、端末はＵＥである。
【０１６０】
図３４及び図３５において、プロセッサ、メモリ、及びトランシーバは、バスを使用することによって接続される。バスアーキテクチャは、任意の数の相互接続されたバス及びブリッジを含むことができ、具体的には、プロセッサによって表される１つ又は複数のプロセッサの回路と、メモリによって表されるメモリの回路とを互いに接続する。バスアーキテクチャは、例えば、周辺装置又は電圧安定化装置を電力管理回路等の他の様々な回路にさらに接続することができる。これらは当技術分野で周知であり、従って本明細書ではこれ以上説明しない。バスインターフェイスはインターフェイスを提供する。トランシーバは、複数の構成要素、すなわち送信機及びトランシーバを含むことができ、伝送媒体上の他の様々な機器と通信するように設定されるユニットを提供する。プロセッサは、バスアーキテクチャ及び一般的な処理の管理を担当し、メモリは、動作を実行するためにプロセッサによって使用されるデータを記憶することができる。
【０１６１】
同じ発明思想に基づいて、本発明の第７の実施形態は装置をさらに提供する。装置の具体的な実施態様については、第１の実施形態における第１の装置に関する説明を参照されたい。繰返しの内容は、ここでは再び説明しない。図３６に示されるように、装置は、主に、プロセッサ３６０１、メモリ３６０２、及び通信インターフェイス３６０３を含む。通信インターフェイス３６０３は、プロセッサ３６０１の制御下でデータを送受信するように設定される。メモリ３６０２は、プリセットプログラムを記憶する。プロセッサ３６０１は、メモリ３６０２内のプログラムを読み出し、そのプログラムに従って以下の処理を実行する：その処理は、
装置のＮＣＰレイヤを使用することによって、パケットを取得することと、
装置のＮＣＰレイヤを使用することによって、第２の装置のＮＣＰレイヤにパケットを送信するように通信インターフェイスに命令することと、を含み、ここで、ＮＣＰレイヤはユーザプレーンのデータリンクレイヤに位置しており、装置のＮＣＰレイヤ及び第２の装置のＮＣＰレイヤは、装置と第２の装置との間にダイレクトデータ交換チャネルを形成する。
【０１６２】
装置は端末であり、第２の装置はコアネットワーク装置であるか、又は装置はコアネットワーク装置であり、第２の装置は端末である。
【０１６３】
具体的には、プロセッサは、第３の実施形態における処理モジュールの機能を実行するように設定され、通信インターフェイスは、プロセッサの制御下で第３の実施形態における通信モジュールの機能を実行するように設定される。
【０１６４】
具体的には、装置が端末である場合に、端末はＣＰＥである。
【０１６５】
同じ発明思想に基づいて、本発明の第８の実施形態は装置をさらに提供する。装置の具体的な実施態様については、第２の実施形態における第１の装置に関する説明を参照されたい。繰返しの内容は、ここでは再び説明しない。図３７に示されるように、装置は、主に、プロセッサ３７０１、メモリ３７０２、及び通信インターフェイス３７０３を含む。通信インターフェイス３７０３は、プロセッサ３７０１の制御下でデータを送受信するように設定される。メモリ３７０２は、プリセットプログラムを記憶する。プロセッサ３７０１は、メモリ３７０２内のプログラムを読み出し、そのプログラムに従って以下の処理を実行する：その処理は、
装置のＮＣＰレイヤを使用することによって、第２の装置のＮＣＰレイヤによって送信されたパケットを受信するように通信インターフェイスに命令することと、
パケットを処理することと、を含む。
【０１６６】
ＮＣＰレイヤはユーザプレーンのデータリンクレイヤに位置しており、装置のＮＣＰレイヤ及び第２の装置のＮＣＰレイヤは、装置と第２の装置との間にダイレクトデータ交換チャネルを形成する。
【０１６７】
装置は端末であり、第２の装置はコアネットワーク装置であるか、又は装置はコアネットワーク装置であり、第２の装置は端末である。
【０１６８】
具体的には、プロセッサは、第４の実施形態における処理モジュールの機能を実行するように設定され、通信インターフェイスは、プロセッサの制御下で第４の実施形態における通信モジュールの機能を実行するように設定される。
【０１６９】
図３６及び図３７において、プロセッサ、メモリ、及び通信インターフェイスは、バスを使用することによって接続される。バスアーキテクチャは、任意の数の相互接続されたバス及びブリッジを含むことができ、具体的には、プロセッサによって表される１つ又は複数のプロセッサの回路と、メモリによって表されるメモリの回路とを互いに接続する。バスアーキテクチャは、例えば、周辺装置又は電圧安定化装置を電力管理回路等の他の様々な回路にさらに接続することができる。これらは当技術分野で周知であり、従って本明細書ではこれ以上説明しない。バスインターフェイスはインターフェイスを提供する。プロセッサは、バスアーキテクチャ及び一般的な処理の管理を担当し、メモリは、動作を実行するためにプロセッサによって使用されるデータを記憶することができる。
【０１７０】
本発明の実施形態では、パケットは、ＮＣＰレイヤを使用することによって端末とコアネットワークとの間で直接転送され、機能的には、端末とコアネットワークとの間のパケットの直接転送を実施する。さらに、明細書の背景技術における方式１とは異なり、ＮＣＰはユーザプレーン上でパケットを送信し、シグナリングプレーンの性能に影響を与えることを回避し、ユーザプレーンのマルチ接続アグリゲーションに必要なパケットシーケンス番号を搬送することを可能にする。ＮＣＰはデータリンクレイヤでパケットを送信するので、ＦＭＣマルチ接続アグリゲーションポイントが５Ｇコアネットワークに実装され、５ＧコアネットワークはＦＭＣマルチ接続管理を効果的に実施することができる。
【０１７１】
さらに、本発明の実施形態では、ＮＣＰはＩＰオプションをプロトコルベアラとして使用するので、ＮＣＰプロトコルヘッダは既存のＩＰシステムと互換性があり、その機能は異なるアクセスネットワーク規格で使用することができる。実施形態では、ＮＣＰは、規格とは無関係の規格に依存しないプロトコルヘッダを使用するので、ＮＣＰは、３ＧＰＰチャネルに限定されるのではなく、様々な規格で使用することができる。
【０１７２】
当業者は、本発明の実施形態が、方法、システム、又はコンピュータプログラム製品として提供し得ることを理解すべきである。従って、本発明は、ハードウェアのみの実施形態、ソフトウェアのみの実施形態、又はソフトウェアとハードウェアの組合せを含む実施形態の形態を使用することができる。さらに、本発明は、コンピュータ使用可能プログラムコードを含む１つ又は複数のコンピュータ使用可能記憶媒体（ディスクメモリ、光メモリ等を含むがこれらに限定されるものではない）上で実施されるコンピュータプログラム製品の形態を使用することができる。
【０１７３】
本発明は、本発明の実施形態による方法、装置（システム）、及びコンピュータプログラム製品のフローチャート及び／又はブロック図を参照して説明される。フローチャート及び／又はブロック図内の各プロセス及び／又は各ブロック、並びにフローチャート及び／又はブロック図内のプロセス及び／又はブロックの組合せを実施するためにコンピュータプログラム命令を使用してもよいことを理解されたい。これらのコンピュータプログラム命令は、汎用コンピュータ、専用コンピュータ、組込み型プロセッサ、又は任意の他のプログラム可能なデータ処理装置のプロセッサに提供され、マシンを生成することができ、それによって、コンピュータ又は任意の他のプログラム可能なデータ処理装置のプロセッサによって実行される命令は、フローチャート内の１つ又は複数の処理及び／又はブロック図内の１つ又は複数のブロックにおいて特定の機能を実施するための装置を生成する。
【０１７４】
これらのコンピュータプログラム命令は、特定の方法で動作するようにコンピュータ又は他の任意のプログラム可能なデータ処理装置に命令することができるコンピュータ可読メモリに記憶させることができ、それにより、コンピュータ可読メモリに記憶された命令は、命令機器を含むアーチファクトを生成する。命令機器は、フローチャート内の１つ又は複数の処理及び／又はブロック図内の１つ又は複数のブロックにおいて特定の機能を実施する。
【０１７５】
これらのコンピュータプログラム命令は、コンピュータ又は他のプログラム可能なデータ処理装置にロードすることができ、その結果、コンピュータ又は他のプログラム可能な装置上で一連の動作及びステップが実行され、それによってコンピュータ実施処理が生成される。従って、コンピュータ又は他のプログラム可能装置上で実行される命令は、フローチャート内の１つ又は複数の処理及び／又はブロック図内の１つ又は複数のブロックにおいて特定の機能を実施するためのステップを提供する。
【０１７６】
明らかに、当業者は、本発明の精神及び範囲から逸脱することなく、本発明に対して様々な修正及び変更を加えることができる。本発明は、添付の特許請求の範囲及びそれらの同等の技術によって規定される保護の範囲内にある限り、これらの修正及び変更を網羅することを意図する。
【図１】
2019535218.tif 000003
【図２】
2019535218.tif 000004
【図３】
2019535218.tif 000005
【図４】
2019535218.tif 000006
【図５】
2019535218.tif 000007
【図６】
2019535218.tif 000008
【図７】
2019535218.tif 000009
【図８】
2019535218.tif 000010
【図９】
2019535218.tif 000011
【図１０】
2019535218.tif 000012
【図１１】
2019535218.tif 000013
【図１２】
2019535218.tif 000014
【図１３】
2019535218.tif 000015
【図１４】
2019535218.tif 000016
【図１５】
2019535218.tif 000017
【図１６】
2019535218.tif 000018
【図１７】
2019535218.tif 000019
【図１８】
2019535218.tif 000020
【図１９】
2019535218.tif 000021
【図２０】
2019535218.tif 000022
【図２１】
2019535218.tif 000023
【図２２】
2019535218.tif 000024
【図２３】
2019535218.tif 000025
【図２４】
2019535218.tif 000026
【図２５】
2019535218.tif 000027
【図２６】
2019535218.tif 000028
【図２７】
2019535218.tif 000029
【図２８】
2019535218.tif 000030
【図２９】
2019535218.tif 000031
【図３０】
2019535218.tif 000032
【図３１】
2019535218.tif 000033
【図３２】
2019535218.tif 000034
【図３３】
2019535218.tif 000035
【図３４】
2019535218.tif 000036
【図３５】
2019535218.tif 000037
【図３６】
2019535218.tif 000038
【図３７】
2019535218.tif 000039
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
パケット交換方法であって、
第１の装置によって、該第１の装置のネットワークコンバージェンスプロトコル（ＮＣＰ）レイヤを使用することによって、パケットを取得するステップと、
前記第１の装置によって、該第１の装置の前記ＮＣＰレイヤを使用することによって、第２の装置のＮＣＰレイヤに前記パケットを送信するステップと、を含み、
前記ＮＣＰレイヤはユーザプレーンのデータリンクレイヤに位置しており、前記第１の装置の前記ＮＣＰレイヤ及び前記第２の装置の前記ＮＣＰレイヤは、前記第１の装置と前記第２の装置との間にダイレクトデータ交換チャネルを形成し、
前記第１の装置は端末であり、前記第２の装置はコアネットワーク装置であるか、又は前記第１の装置はコアネットワーク装置であり、前記第２の装置は端末である、
方法。
【請求項２】
前記パケットは、フィックスドモバイルコンバージェンス（ＦＭＣ）シナリオにおけるパケットである、請求項１に記載の方法。
【請求項３】
前記パケットは、ＦＭＣマルチ接続アグリゲーションに使用されるパケット、ＦＭＣマルチ接続管理に使用されるパケット、プライベートネットワーク認識に使用されるパケット、又はプライベートネットワーク制御に使用されるパケットである、請求項１に記載の方法。
【請求項４】
前記ＮＣＰレイヤは、前記データリンクレイヤの最上位に位置しており、且つインターネットプロトコル（ＩＰ）レイヤより下に位置する、請求項１に記載の方法。
【請求項５】
ロングタームエボリューション（ＬＴＥ）プロトコルが前記第１の装置と前記第２の装置との間のアクセスネットワーク（ＡＮ）に使用される場合に、前記ＮＣＰレイヤはパケットデータコンバージェンスプロトコル（ＰＤＣＰ）レイヤより上に位置しており、
デジタル加入者線（ＤＳＬ）プロトコルが前記第１の装置と前記第２の装置との間のアクセスネットワーク（ＡＮ）に使用される場合に、前記ＮＣＰレイヤはポイントツーポイントプロトコル（ＰＰＰ）レイヤより上に位置しており、
信頼性のあるワイファイ（Ｗｉ−Ｆｉ）プロトコルが前記第１の装置と前記第２の装置との間のアクセスネットワークに使用される場合に、前記ＮＣＰレイヤは媒体アクセス制御（ＭＡＣ）レイヤより上に位置しており、又は
信頼性のないワイファイ（Ｗｉ−Ｆｉ）プロトコルが前記第１の装置と前記第２の装置との間のアクセスネットワークに使用される場合に、前記ＮＣＰレイヤはインターネットプロトコルセキュリティ（ＩＰＳｅｃ）レイヤより上に位置する、請求項４に記載の方法。
【請求項６】
前記ＮＣＰレイヤのプロトコルヘッダが、指定されたオプションタイプのインターネットプロトコル（ＩＰ）オプションを使用することによって搬送される、又は
前記ＮＣＰレイヤのプロトコルヘッダが、ＮＣＰタイプとＮＣＰデータとを含む、
請求項１乃至５のいずれか一項に記載の方法。
【請求項７】
パケット交換方法であって、
第１の装置によって、該第１の装置のネットワークコンバージェンスプロトコル（ＮＣＰ）レイヤを使用することによって、第２の装置のＮＣＰレイヤによって送信されたパケットを受信するステップと、
前記第１の装置によって、前記パケットを処理するステップと、を含み、
前記ＮＣＰレイヤはユーザプレーンのデータリンクレイヤに位置しており、前記第１の装置の前記ＮＣＰレイヤ及び前記第２の装置の前記ＮＣＰレイヤは、前記第１の装置と前記第２の装置との間にダイレクトデータ交換チャネルを形成し、
前記第１の装置は端末であり、前記第２の装置はコアネットワーク装置であるか、又は前記第１の装置はコアネットワーク装置であり、前記第２の装置は端末である、
方法。
【請求項８】
前記パケットは、フィックスドモバイルコンバージェンス（ＦＭＣ）シナリオにおけるパケットである、請求項７に記載の方法。
【請求項９】
前記パケットは、ＦＭＣマルチ接続アグリゲーションに使用されるパケット、ＦＭＣマルチ接続管理に使用されるパケット、プライベートネットワーク認識に使用されるパケット、又はプライベートネットワーク制御に使用されるパケットである、請求項７に記載の方法。
【請求項１０】
前記ＮＣＰレイヤは、前記データリンクレイヤの最上位に位置しており、且つインターネットプロトコル（ＩＰ）レイヤより下に位置する、請求項７に記載の方法。
【請求項１１】
ロングタームエボリューション（ＬＴＥ）プロトコルが前記第１の装置と前記第２の装置との間のアクセスネットワーク（ＡＮ）に使用される場合に、前記ＮＣＰレイヤはパケットデータコンバージェンスプロトコル（ＰＤＣＰ）レイヤより上に位置しており、
デジタル加入者線（ＤＳＬ）プロトコルが前記第１の装置と前記第２の装置との間のアクセスネットワーク（ＡＮ）に使用される場合に、前記ＮＣＰレイヤはポイントツーポイントプロトコル（ＰＰＰ）レイヤより上に位置しており、
信頼性のあるワイファイ（Ｗｉ−Ｆｉ）プロトコルが前記第１の装置と前記第２の装置との間のアクセスネットワーク（ＡＮ）に使用される場合に、前記ＮＣＰレイヤは媒体アクセス制御（ＭＡＣ）レイヤより上に位置しており、又は
信頼性のないワイファイ（Ｗｉ−Ｆｉ）プロトコルが前記第１の装置と前記第２の装置との間のアクセスネットワーク（ＡＮ）に使用される場合に、前記ＮＣＰレイヤはインターネットプロトコルセキュリティ（ＩＰＳｅｃ）レイヤより上に位置する、請求項１０に記載の方法。
【請求項１２】
前記ＮＣＰレイヤのプロトコルヘッダが、指定されたオプションタイプのインターネットプロトコル（ＩＰ）オプションを使用することによって搬送される、又は
前記ＮＣＰレイヤのプロトコルヘッダが、ＮＣＰタイプとＮＣＰデータとを含む、
請求項７乃至１１のいずれか一項に記載の方法。
【請求項１３】
装置であって、
該装置のネットワークコンバージェンスプロトコル（ＮＣＰ）レイヤを使用することによって、パケットを取得するように設定される処理モジュールと、
前記装置の前記ＮＣＰレイヤを使用することによって、前記パケットを第２の装置のＮＣＰレイヤに送信するように設定される通信モジュールと、を有しており、
前記ＮＣＰレイヤはユーザプレーンのデータリンクレイヤに位置しており、前記装置の前記ＮＣＰレイヤ及び前記第２の装置の前記ＮＣＰレイヤは、前記装置と前記第２の装置との間にダイレクトデータ交換チャネルを形成し、
前記装置は端末であり、前記第２の装置はコアネットワーク装置であるか、又は前記装置はコアネットワーク装置であり、前記第２の装置は端末である、
装置。
【請求項１４】
装置であって、
該装置のネットワークコンバージェンスプロトコル（ＮＣＰ）レイヤを使用することによって、第２の装置のＮＣＰレイヤによって送信されたパケットを受信するように設定される通信モジュールと、
前記パケットを処理するように設定される処理モジュールと、を有しており、
前記ＮＣＰレイヤはユーザプレーンのデータリンクレイヤに位置しており、前記装置のＮＣＰレイヤ及び前記第２の装置の前記ＮＣＰレイヤは前記装置と前記第２の装置との間にダイレクトデータ交換チャネルを形成し、
前記装置は端末であり、前記第２の装置はコアネットワーク装置であるか、又は前記装置はコアネットワーク装置であり、前記第２の装置は端末である、
装置。
【請求項１５】
前記パケットは、フィックスドモバイルコンバージェンス（ＦＭＣ）シナリオにおけるパケットである、請求項１３又は１４に記載の装置。
【請求項１６】
前記パケットは、ＦＭＣマルチ接続アグリゲーションに使用されるパケット、ＦＭＣマルチ接続管理に使用されるパケット、プライベートネットワーク認識に使用されるパケット、又はプライベートネットワーク制御に使用されるパケットである、請求項１３又は１４に記載の装置。
【請求項１７】
前記ＮＣＰレイヤは、前記データリンクレイヤの最上位に位置しており、且つインターネットプロトコル（ＩＰ）レイヤより下に位置する、請求項１３又は１４に記載の装置。
【請求項１８】
ロングタームエボリューションプロトコルが前記装置と前記第２の装置との間のアクセスネットワークに使用される場合に、前記ＮＣＰレイヤはパケットデータコンバージェンスプロトコルレイヤより上に位置しており、
デジタル加入者線プロトコルが前記装置と前記第２の装置との間のアクセスネットワークに使用される場合に、前記ＮＣＰレイヤはポイントツーポイントプロトコルレイヤより上に位置しており、
信頼性のあるワイファイプロトコルが前記装置と前記第２の装置との間のアクセスネットワークに使用される場合に、前記ＮＣＰレイヤは媒体アクセス制御レイヤより上に位置しており、又は
信頼性のないワイファイプロトコルが前記装置と前記第２の装置との間のアクセスネットワークに使用される場合に、前記ＮＣＰレイヤはインターネットプロトコルセキュリティレイヤより上に位置する、請求項１３又は１４に記載の装置。
【請求項１９】
前記ＮＣＰレイヤのプロトコルヘッダが、指定されたオプションタイプのインターネットプロトコル（ＩＰ）オプションを使用することによって搬送される、又は
前記ＮＣＰレイヤのプロトコルヘッダが、ＮＣＰタイプとＮＣＰデータとを含む、
請求項１３乃至１８のいずれか一項に記載の装置。
【請求項２０】
請求項１乃至６のいずれか一項に記載の方法を実行する又は請求項７乃至１２のいずれか一項に記載の方法を実行するコンピュータプログラムで符号化され記憶された非一時的なコンピュータ可読媒体。
【手続補正２】
【補正対象書類名】明細書
【補正対象項目名】０１０３
【補正方法】変更
【補正の内容】
【０１０３】
ハンドシェイク要求メッセージを受信した後に、インダイレクトＵＥのＮＣＰ２レイヤは、ダイレクトＵＥのＮＣＰ１レイヤ及びＣＮのＮＣＰ１レイヤを使用することによって、ハンドシェイク応答メッセージをＣＮのＮＣＰ２レイヤに透過的に送信する。
【手続補正３】
【補正対象書類名】明細書
【補正対象項目名】０１２７
【補正方法】変更
【補正の内容】
【０１２７】
図２４に示されるように、ＵＥのＩＰパケットがＵＥのＮＣＰレイヤに送信され、ＵＥのＮＣＰレイヤは、ステアリングモードでＩＰパケットを異なるチャネルで送信し、ここで、ＮＣＰヘッダはＩＰパケット内に挿入されていない。異なるチャネルからＩＰパケットを受信した後に、ＣＮのＮＣＰレイヤはＩＰパケットをＣＮのＩＰレイヤに直接提示する。
【手続補正４】
【補正対象書類名】明細書
【補正対象項目名】０１６０
【補正方法】変更
【補正の内容】
【０１６０】
図３４及び図３５において、プロセッサ、メモリ、及びトランシーバは、バスを使用することによって接続される。バスアーキテクチャは、任意の数の相互接続されたバス及びブリッジを含むことができ、具体的には、プロセッサによって表される１つ又は複数のプロセッサの回路と、メモリによって表されるメモリの回路とを互いに接続する。バスアーキテクチャは、例えば、周辺装置又は電圧安定化装置を電力管理回路等の他の様々な回路にさらに接続することができる。これらは当技術分野で周知であり、従って本明細書ではこれ以上説明しない。バスインターフェイスはインターフェイスを提供する。トランシーバは、複数の構成要素、すなわち送信機及び受信機を含むことができ、伝送媒体上の他の様々な機器と通信するように設定されるユニットを提供する。プロセッサは、バスアーキテクチャ及び一般的な処理の管理を担当し、メモリは、動作を実行するためにプロセッサによって使用されるデータを記憶することができる。
【国際調査報告】
2019535218.tif 000040
2019535218.tif 000041
2019535218.tif 000042
2019535218.tif 000043